(57)【特許請求の範囲】
【請求項１】
建物においてベランダ床上面の周囲に位置する壁、柱であるベランダ内周形成部と、前記ベランダ内周形成部に前記ベランダ床から上方へ離隔させて組み立てられたダクト用ユニットとで構成され、
前記ダクト用ユニットは、前記ベランダ内周形成部に取り付けられた枠体と、前記枠体に取り付けられて前記枠体の側周のうち前記ベランダ内周形成部に沿って配置された建物対向側以外を塞ぐ１又は複数の外板とを有し、前記外板の１以上は前記枠体に脱着可能であり、
前記枠体は、通気口が形成された下板部と、前記下板部の外周部から上方へ延在する互いに平行な３本以上の棒状材と、前記棒状体の上端部に支持された側板部又は天板部である上板部とを有し、前記上板部には前記建物側の換気ダクトが接続される換気ダクト接続口が形成され、前記上板部及び前記下板部には前記ベランダ床上に設置される設備機器に接続される配管又は電気ケーブルである設備用条体が挿通される条体挿通孔が形成され、  前記ダクト用ユニットは前記枠体の前記下板部に形成された通気口を覆う網体又は通気性フィルタをさらに有し、
前記枠体の前記換気ダクト接続口に前記換気ダクトが接続され、前記上板部の条体挿通孔及び前記下板部の条体挿通孔に通された前記設備用条体が前記ダクト用ユニットに引き通されていることを特徴とする屋外ダクト。
【請求項２】
前記建物は前記ベランダ床上方の庇部下側に設けられたベランダ天井を有し、前記設備用条体は前記ベランダ内周形成部の前記壁における前記庇部と前記ベランダ天井との間の位置に設けられたスリーブに通され、前記設備用条体のうち、前記スリーブと前記ダクト用ユニットの前記上板部との間に位置する部分は前記庇部と前記ベランダ天井との間のベランダ天井裏空間内に収納されていることを特徴とする請求項１に記載の屋外ダクト。
【請求項３】
請求項１又は２に記載の屋外ダクトの施工方法であって、
前記建物の躯体の施工完了後、かつ前記ベランダ床への防水層を含む仕上げ材層の形成前に、
前記ダクト用ユニットの前記枠体を前記ベランダ内周形成部に取り付けて前記ベランダ床から上方へ離隔させて配置する枠体取付工程と、
前記換気ダクトの先端を前記枠体の前記換気ダクト接続口に接続する換気ダクト接続工程と、
前記設備用条体を前記枠体の前記上板部の条体挿通孔及び前記建物の前記壁に設けられた条体挿通スリーブに挿通する設備用条体挿通工程と、
を行い、次いで、
前記ベランダ床上に仕上げ材層を形成するベランダ床仕上げ工程を行い、次いで、
前記設備用条体を前記枠体の内側から前記下板部の条体挿通孔に通して前記条体挿通孔から前記枠体外側へ引き出す条体引き出し工程と、
条体引き出し工程の完了後に、前記枠体に前記外板を取り付けて前記ダクト用ユニットを組み立て状態とする条体引き出し後外板取付工程と、
を行なうことを特徴とする屋外ダクトの施工方法。
【請求項４】
前記設備用条体挿通工程にて、前記条体引き出し工程における前記設備用条体の前記下板部の条体挿通孔から前記下板部下側へ引き出される引き出し長部分を前記枠体内側に収納した状態とし、
前記条体引き出し工程では、前記枠体内側から前記設備用条体の前記引き出し長部分を前記下板部の条体挿通孔を介して前記下板部下側へ引き出すことを特徴とする請求項３に記載の屋外ダクトの施工方法。
【請求項５】
前記枠体取付工程及び前記設備用条体挿通工程の完了後に、前記ベランダ床上方の庇部下側にベランダ天井を施工することで、前記換気ダクト及び前記設備用条体のうち前記枠体の上板部と前記建物との間に位置する部分を前記庇部と前記ベランダ天井との間に確保した空間内に収納した状態とするベランダ天井施工工程をさらに有することを特徴とする請求項３又は４に記載の屋外ダクトの施工方法。
【発明の詳細な説明】
【技術分野】
【０００１】
本発明は、集合住宅等のコンクリート造建物のベランダに設けられる屋外ダクト、屋外ダクトの施工方法に関する。
【背景技術】
【０００２】
集合住宅（いわゆるマンション等）などのコンクリート造（本明細書においては、鉄筋コンクリート造、鉄骨鉄筋コンクリート造、鉄骨コンクリート造を指す語として使用する）の建物にあっては、ベランダやバルコニーを、所謂エアコン等の空気調和（以下、空調、とも言う）設備の屋外機の設置場所に利用することが多い。ベランダを空調設備の屋外機設置場所に利用する場合は、建物において住戸内部空間とベランダとの間に位置する外壁（以下、ベランダ側外壁、とも言う）に、空調設備の冷媒管や電気ケーブル等を通すためのスリーブ（以下、空調配管用スリーブ、とも言う）を設けることが一般的である。
また、コンクリート造集合住宅にあっては、住戸内部空間の強制換気（機械換気）のための排気ダクトの出口（排気口）及び給気ダクト入口（吸気口）をベランダ側外壁にその外面側に開口させて設けた設計が多く採用されている（例えば特許文献１、２）。
【０００３】
排気ダクト出口（排気口）、給気ダクト入口（吸気口）、空調配管用スリーブは、ベランダ側外壁の上部に設けられることが多い。
空調配管用スリーブには、空調設備の冷媒管、電気ケーブル、ドレン管が通される。冷媒管、電気ケーブル、ドレン管の空調配管用スリーブからベランダ側へ引き出された部分は、ベランダ側外壁外面に取り付けるダクト（以下、外壁ダクト、とも言う）に収納され、外壁ダクトとともにベランダ側外壁外面に沿って延在配置される。ベランダ床上の空調屋外機には、外壁ダクトの空調配管用スリーブとは反対側の端部から引き出された冷媒管及び電気ケーブルの先端部が接続される。
【先行技術文献】
【特許文献】
【０００４】
【特許文献１】特開２０００−２９７４８５号公報
【特許文献２】特開２００３−０４２５０１号公報
【発明の概要】
【発明が解決しようとする課題】
【０００５】
ところで、マンション等の集合住宅の建設において、ベランダ内の設備工事は、躯体工事の完了後、ベランダの床、壁の仕上げ工事（ベランダ仕上げ工事）を完了した後に行なうことが一般的である。ベランダ床上への空調屋外機の設置は、ベランダ仕上げ工事の完了後に行なう。
但し、ベランダ仕上げ工事完了後のベランダ内の工事は、空調工事のみならず、給排水衛生工事、電気工事等も有る。このため、ベランダ仕上げ工事後の限られた工期にベランダ内にて複数作業を集中的に並行進行することが生じやすく、工事の作業効率低下を余儀なくされるケースが多々有る。
【０００６】
一方、排気ダクト出口（排気口）及び給気ダクト入口（吸気口）については、排気ダクト出口から排出された排気が給気ダクト入口から給気ダクトへ取り込まれることを抑える点で、排気ダクト出口と給気ダクト入口との間の距離を出来るだけ大きく確保することが好ましい。ベランダ側外壁上部に設けられた排気ダクト出口及び給気ダクト入口は、ベランダ側から見てベランダ側外壁の左右方向両端部に振り分け配置されることが好ましい。
排気ダクト出口及び給気ダクト入口の位置は、建物内における換気ダクト（排気ダクト及び給気ダクト）のルート設計によって決まる。しかし、換気ダクトのルート設計は、建物構造（例えば柱、梁の位置、天井裏のスペースなど）等によって制約されることが多い。このため、排気ダクト出口及び給気ダクト入口の一方又は両方がベランダ側外壁の左右方向中央部に配置されるケースも多々存在する。
【０００７】
また、上階のベランダ下側にベランダ天井が設けられる場合は、ベランダとベランダ天井との間に確保されたベランダ天井裏空間にベランダ側外壁から延出させた換気ダクトを引き回し、換気ダクト端末を接続したガラリをベランダ天井にその下面に開口させて設けることも行なわれている。この構成では、ベランダ天井裏空間内での換気ダクトの引き回しによって、各換気ダクト端末のガラリのベランダ天井における設置位置の自由度を確保できる。このため、排気ダクト出口と給気ダクト入口との間の距離を大きく確保することに有利である。
ベランダ天井裏空間内に引き回した換気ダクトをベランダ天井に設けたガラリに接続する構成では、ベランダ側外壁左右方向に一致するベランダ延在方向のみならず、ベランダ側外壁に垂直のベランダ幅方向にもガラリ間の離隔距離を確保することが、排気ダクト出口と給気ダクト入口との間の距離を大きく確保することに有利である。しかしながら、ベランダ天井の平面視サイズが小さい場合などは、排気ダクト出口と給気ダクト入口との間の距離を大きく確保する効果を充分に得ることができない。
【０００８】
本発明は、前記課題に鑑みて、ベランダ内での工事の作業効率を向上でき、しかも、換気用の排気ダクト出口と給気ダクト入口との間の離隔距離の確実確保に有効に寄与する屋外ダクト、屋外ダクトの施工方法の提供を目的としている。
【課題を解決するための手段】
【０００９】
上記課題を解決するために、本発明では以下の態様を提供する。
第１の態様は、建物においてベランダ床上面の周囲に位置する壁、柱であるベランダ内周形成部と、前記ベランダ内周形成部に前記ベランダ床から上方へ離隔させて組み立てられたダクト用ユニットとで構成され、前記ダクト用ユニットは、前記ベランダ内周形成部に取り付けられた枠体と、前記枠体に取り付けられて前記枠体の側周のうち前記ベランダ内周形成部に沿って配置された建物対向側以外を塞ぐ１又は複数の外板とを有し、前記外板の１以上は前記枠体に脱着可能であり、前記枠体は、通気口が形成された下板部と、前記下板部の外周部から上方へ延在する互いに平行な３本以上の棒状材と、前記棒状体の上端部に支持された側板部又は天板部である上板部とを有し、前記上板部には前記建物側の換気ダクトが接続される換気ダクト接続口が形成され、前記上板部及び前記下板部には前記ベランダ床上に設置される設備機器に接続される配管又は電気ケーブルである設備用条体が挿通される条体挿通孔が形成され、前記ダクト用ユニットは前記枠体の前記下板部に形成された通気口を覆う網体又は通気性フィルタをさらに有し、前記枠体の前記換気ダクト接続口に前記換気ダクトが接続され、前記上板部の条体挿通孔及び前記下板部の条体挿通孔に通された前記設備用条体が前記ダクト用ユニットに引き通されていることを特徴とする屋外ダクトである。
第２の態様は、前記建物は前記ベランダ床上方の庇部下側に設けられたベランダ天井を有し、前記設備用条体は前記ベランダ内周形成部の前記壁における前記庇部と前記ベランダ天井との間の位置に設けられたスリーブに通され、前記設備用条体のうち、前記スリーブと前記ダクト用ユニットの前記上板部との間に位置する部分は前記庇部と前記ベランダ天井との間のベランダ天井裏空間内に収納されていることを特徴とする第１の態様の屋外ダクトである。
第３の態様は、第１又は２の態様の屋外ダクトの施工方法であって、前記建物の躯体の施工完了後、かつ前記ベランダ床への防水層を含む仕上げ材層の形成前に、前記ダクト用ユニットの前記枠体を前記ベランダ内周形成部に取り付けて前記ベランダ床から上方へ離隔させて配置する枠体取付工程と、前記換気ダクトの先端を前記枠体の前記換気ダクト接続口に接続する換気ダクト接続工程と、前記設備用条体を前記枠体の前記上板部の条体挿通孔及び前記建物の前記壁に設けられた条体挿通スリーブに挿通する設備用条体挿通工程と、行い、次いで、前記ベランダ床上に仕上げ材層を形成するベランダ床仕上げ工程を行い、次いで、前記設備用条体を前記枠体の内側から前記下板部の条体挿通孔に通して前記条体挿通孔から前記枠体外側へ引き出す条体引き出し工程と、条体引き出し工程の完了後に、前記枠体に前記外板を取り付けて前記ダクト用ユニットを組み立て状態とする条体引き出し後外板取付工程と、を行なうことを特徴とする屋外ダクトの施工方法である。
第４の態様は、前記設備用条体挿通工程にて、前記条体引き出し工程における前記設備用条体の前記下板部の条体挿通孔から前記下板部下側へ引き出される引き出し長部分を前記枠体内側に収納した状態とし、前記条体引き出し工程では、前記枠体内側から前記設備用条体の前記引き出し長部分を前記下板部の条体挿通孔を介して前記下板部下側へ引き出すことを特徴とする第３の態様の屋外ダクトの施工方法である。
第５の態様は、前記枠体取付工程及び前記設備用条体挿通工程の完了後に、前記ベランダ床上方の庇部下側にベランダ天井を施工することで、前記換気ダクト及び前記設備用条体のうち前記枠体の上板部と前記建物との間に位置する部分を前記庇部と前記ベランダ天井との間に確保した空間内に収納した状態とするベランダ天井施工工程をさらに有することを特徴とする第３又は４の態様の屋外ダクトの施工方法である。
【発明の効果】
【００１０】
本発明によれば、建物のベランダ内周形成部にダクト用ユニットの枠体を取り付けることで、ベランダ床への仕上げ材層の形成前に、枠体の換気ダクト接続口と建物側の換気ダクトとの接続、及び枠体の上板部の条体挿通孔への設備用条体の挿入を行える。このため、ベランダ床への仕上げ材層の形成後のベランダ内での設備工事の集中を緩和でき、ベランダ床への仕上げ材層の形成後のベランダ内での設備工事の作業効率を高めることができる。また、ベランダ内周形成部へのダクト用ユニットの組み立て作業においてベランダ床の仕上げ材層を傷つける心配が無い。
なお、ダクト用ユニットはベランダ床から上方に離隔させて設けられるため、ベランダ床への防水層を含む仕上げ材層の形成作業を妨げない。その結果、ベランダ床への仕上げ材層の形成の作業性を確保できる。
【００１１】
また、本発明によれば、ベランダ内周形成部とダクト用ユニットとで構成される屋外ダクトを、換気ダクト先端に接続される延長換気ダクトとして機能させることができる。ダクト用ユニットの下板部の通気口は、換気ダクトに連通する排気口又は吸気口として機能させることができる。ダクト用ユニットの下板部の通気口は、ベランダ上の庇下側に構築されたベランダ天井あるいはベランダ外壁に給気ダクト入口又は排気ダクト出口が存在する場合、これら給気ダクト入口又は排気ダクト出口に対して、水平方向のみならず上下方向にも離隔させて配置することができる。このため、ダクト用ユニットの通気口と、建物のベランダ側外壁あるいはベランダ天井に設けられた給気ダクト入口又は排気ダクト出口との間の離隔距離の確保を容易に実現できる。
【００１２】
屋外ダクトは、設備用条体の保護ダクトと換気ダクトとを兼ねる。このため、屋外ダクトは、例えば、設備用条体を収納してベランダ側外壁外面に取り付ける外壁ダクトと、換気ダクト先端に接続する延長換気ダクトとを別々に施工する場合に比べて、容易に施工できる。
【図面の簡単な説明】
【００１３】
【図１】本発明に係る実施形態の屋外ダクトを施工した建物のベランダ付近の構造の一例を示す平断面図である。
【図２】図１の建物のベランダ付近の構造を示す側断面図である。
【図３】図１の建物における屋外ダクト付近を示す拡大斜視図である。
【図４】図３の屋外ダクト付近を示す平断面図である。
【図５】図３の屋外ダクトのダクト用ユニットの枠体の固定用部材を示す正面図である。
【図６】図３の屋外ダクトの枠体のベランダ内周形成部に対する固定構造の一例を示す側断面図である。
【図７】図３の屋外ダクトの枠体の棒状材と固定用部材との関係を示す平断面図である。
【図８】図３の屋外ダクトの正面図である。
【図９】図３の屋外ダクトの枠体の下板部及び網付き枠を示す下面図である。
【図１０】図３の屋外ダクトのダクト用ユニットの下端部の構造を示す正断面図である。
【図１１】本発明に係る実施形態の屋外ダクトの建物のベランダに対する施工位置の他の例を示す平断面図であり、建物の住戸のベランダ側外壁とベランダ側外壁からその外面側へ延出する張出壁との間の入り隅部に屋外ダクトを施工した例を示す。
【図１２】本発明に係る実施形態の屋外ダクトの建物のベランダに対する施工位置の他の例を示す平断面図であり、建物の住戸のベランダ側外壁からその外面側へ延出する張出壁とベランダ側の柱との間の入り隅部に屋外ダクトを施工した例を示す。
【図１３】本発明に係る実施形態の屋外ダクトの建物のベランダに対する施工例を示す平断面図であり、屋外ダクトの枠体の前後方向寸法が、枠体を取り付けた入り隅部第１面に垂直の入り隅部第２面の入り隅部第１面からの突出寸法よりも大きい場合を示す。
【図１４】本発明に係る実施形態の屋外ダクトのダクト用ユニットの付近に、入り隅部第２面を形成するベランダ内周形成部が存在しない場合を示す平断面図であり、（ａ）は枠体にＬ字板状の建物側塞ぎ板を取り付けた構成、（ｂ）は建物側塞ぎ板を使用せず枠体の背側以外の側周全体を外板で覆った構成を示す。
【図１５】本発明に係る実施形態の屋外ダクトを示す図であり、枠体上端部の側板部に換気ダクト接続口及び条体挿通孔が形成された上板部を用いた枠体、ダクト用ユニット、屋外ダクトの例を示す正面図である。
【図１６】本発明に係る実施形態の屋外ダクトを示す図であり、棒状材が３本で三角形板状の上板部及び下板部を有するダクト用ユニット、屋外ダクトの一例を示す図であり、枠体の上板部を省略して示した平断面図である。
【発明を実施するための形態】
【００１４】
以下、本発明の１実施形態について、図面を参照して説明する。
図１〜図３に示す屋外ダクト１０は、コンクリート造集合住宅である建物２０のベランダ２１に臨む外壁２２及び柱２３と、外壁２２のベランダ２１側の面（外面）に組み立てられたダクト用ユニット３０とで構成されている。
なお、屋外ダクト１０について、図２、図３の上側を上、下側を下として説明する。また、図１においては、紙面手前側が上、紙面奥側が下である。図４（ａ）、（ｂ）、図７においては、紙面手前側が上、紙面奥側が下、図５、図６、図８においては上側が上、下側が下である。
【００１５】
図１〜図３において、建物２０の住戸内部空間２４を形成する壁のうち、住戸内部空間２４とベランダ２１との境界に位置するもの（外壁２２）を、以下、ベランダ側外壁とも言う。
なお、建物２０において、住戸内部空間２４を形成しかつ建物２０外面を形成する外壁（ベランダ側外壁２２を含む）及び該外壁によって取り囲まれた内側に存在する部分を、以下、建物本体２０Ａとも言う。
【００１６】
図１、図２に示すように、ベランダ２１は、ベランダ側外壁２２からその外面（住戸内部空間２４側とは反対側の面）側に張り出された張出部である。
ベランダ２１は、建物２０の床２５をベランダ側外壁２２外面側へ延長したコンクリート床であるベランダ床２１ａと、ベランダ床２１ａの突端部上に立設されベランダ側外壁２２に沿って延在する手摺壁２１ｂ（以下、ベランダ手摺壁、とも言う）とを有する。
【００１７】
図１に示す柱２３は、建物躯体の一部であり、建物２０において互いに隣り合う住戸Ｊの住戸内部空間２４間を仕切る住戸間仕切壁２６のベランダ２１側に設けられている。
図１に示す住戸Ｊのうち、符号ＪＡを付記した住戸の住戸内部空間２４は、住戸ＪＡの左右（図１左右。ベランダ２１側から見て左右。建物２０左右方向。）両側の住戸間仕切壁２６の間に確保されている。柱２３は住戸ＪＡの左右両側の住戸間仕切壁２６のそれぞれのベランダ２１側に設けられている。
【００１８】
図１に示すように、住戸ＪＡのベランダ側外壁２２は、住戸ＪＡの左右両側の柱２３の間に延在形成されている。
ベランダ側外壁２２の住戸ＪＡ左右方向２箇所には、住戸内部空間２４とベランダ２１との間の居住者の移動を可能にするサッシ２７が住戸ＪＡ左右方向に互いに離隔させて設けられている。各サッシ２７下端の下枠２７ａ（図３参照。障子下部の戸車が走行するレール部）は住戸ＪＡの床２５のベランダ２１側端部上に設けられている。各サッシ２７上端の上枠２７ｂ（図３参照）はベランダ側外壁２２の上端から下方へずれた位置に下枠２７ａと平行に設けられている。したがい、図３に示すように、各サッシ２７の上側にはベランダ側外壁２２の一部が存在する。
【００１９】
また、図１に示すように、各サッシ２７は、住戸ＪＡ左右方向において柱２３から離隔させて設けられている。建物２０左右方向（住戸ＪＡ左右方向に一致）におけるサッシ２７と柱２３との間、及びサッシ２７同士の間には、それぞれベランダ側外壁２２の一部が存在する。以下、建物２０左右方向において、ベランダ側外壁２２のサッシ２７と柱２３との間に位置する部分を脇壁部２２ａ（以下、外壁脇壁部、とも言う）、サッシ２７同士間に位置する部分を中間壁部２２ｂとも言う。
ベランダ側外壁２２は、その左右（住戸ＪＡ左右方向に一致）両端（具体的には脇壁部２２ａの端）を柱２３に接合一体化して構築されている。
【００２０】
図１に示すように、柱２３はベランダ側外壁２２からその外面側に張り出されている。
柱２３とベランダ手摺壁２１ｂとの間には、火災等の非常時に建物利用者が破壊して避難路を確保するための隔て板２１ｄが設けられている。
ベランダ２１における個々の住戸Ｊの使用可能領域に対応するベランダ床２１ａ上の、ベランダ側外壁２２と、ベランダ手摺壁２１ｂと、左右両側の柱２３及び隔て板２１ｄとによって囲まれた内側の空間を、以下、ベランダ内側空間２１ｃとも言う。
【００２１】
図１、図２において、ベランダ側外壁２２、ベランダ手摺壁２１ｂ、柱２３は、ベランダ床２１ａ上面の外周に位置する。また、ベランダ側外壁２２、ベランダ手摺壁２１ｂ、柱２３は、それぞれ、ベランダ床２１ａ上面外周から上方へ延在してベランダ内側空間２１ｃに臨む面を形成する。ベランダ側外壁２２、ベランダ手摺壁２１ｂ、柱２３のベランダ内側空間２１ｃに臨む面は、それぞれベランダ内側空間２１ｃの内側面の一部である。ベランダ側外壁２２、ベランダ手摺壁２１ｂ、柱２３は、それぞれベランダ内側空間２１ｃの内周の一部を形成するベランダ内周形成部として機能する。
【００２２】
図１に示すように、屋外ダクト１０のダクト用ユニット３０は、ベランダ側外壁２２の脇壁部２２ａ外面に組み立てられて、外壁脇壁部２２ａと該外壁脇壁部２２ａから住戸内部空間２４側とは反対の外面側へ張り出す柱２３との間の入り隅部に設けられている。
柱２３は断面矩形に形成されている。外壁脇壁部２２ａと柱２３との間の入り隅部は、外壁脇壁部２２ａ外面と、柱２３の外壁脇壁部２２ａからその外面側へ外壁脇壁部２２ａ外面に垂直に延在する側面２３ａ（以下、入り隅側柱側面、とも言う）とによって形成されている。入り隅側柱側面２３ａは、柱２３の外壁脇壁部２２ａからその外面側へ張り出された張出部２３ｂ（以下、柱張出部、とも言う）の側面である。
【００２３】
図３に示すように、ダクト用ユニット３０は、ベランダ側外壁２２に固定して取り付けられた枠体３１と、枠体３１の側周のうちベランダ側外壁２２外面及び入り隅側柱側面２３ａに対向配置された建物対向側以外を塞ぐ複数の外板３２とを有する。図３に示すダクト用ユニット３０の枠体３１の建物対向側には外板は設けられていない。
なお、外板３２は、ねじ止めによって枠体３１に脱着可能に取り付けられている。
【００２４】
図３、図４（ａ）に示すように、枠体３１は、上板部３３（天板部）及び下板部３４と、上板部３３と下板部３４とを連結する互いに平行な４本の棒状材３５とを有する。
上板部３３及び下板部３４は、それぞれ、四角板状の主板部３３ａ、３４ａを有する。４本の棒状材３５は、上板部３３の主板部３３ａ（以下、上板部主板部、とも言う）及び下板部３４の主板部３４ａ（以下、下板部主板部、とも言う）のそれぞれの四隅の角部同士を連結している。
【００２５】
図３等において、上板部主板部３３ａと下板部主板部３４ａの外周（側周）寸法は互いに同じである。また、枠体３１において、上板部主板部３３ａと下板部主板部３４ａとは互いに平行に配置されている。しかも、上板部主板部３３ａと下板部主板部３４ａとは、上板部主板部３３ａ外周（側周）の四辺の上板部主板部３３ａに垂直の仮想延長上に下板部主板部３４ａ外周（側周）の四辺が位置するように位置合わせされている。
枠体３１の側周は、上板部主板部３３ａ及び下板部主板部３４ａのそれぞれの主面外周に沿う方向（枠体周方向）の枠体３１外周を指す。
【００２６】
図４（ａ）に示すように、枠体３１は、４本の棒状材３５（第１〜４棒状材３５１〜３５４）のうち２本を外壁脇壁部２２ａ外面に沿って上下方向に延在配置し、ビス等のピン状の固定具３１ａ（図６参照。以下、ピン状固定具、とも言う）を用いて外壁脇壁部２２ａに固定して取り付けられている。
枠体３１について、以下、枠体３１が固定されるベランダ内周形成部（本実施形態では外壁脇壁部２２ａ）に対向配置される側を背側、背側とは反対の側を前面側、とも言う。外壁脇壁部２２ａ外面に沿って配置された２本の棒状材３５（第１棒状材３５１及び第２棒状材３５２）を、以下、背側棒状材とも言う。
【００２７】
図４（ａ）に示すように、枠体３１の４本の棒状材３５のうち、２本の背側棒状材３５１、３５２以外の２本（第３棒状材３５３及び第４棒状材３５４）は、それぞれ２本の背側棒状材３５１、３５２から枠体３１前面側に離隔した位置に配置されている。２本の背側棒状材３５１、３５２の枠体３１前面側に位置する２本の棒状材３５を、以下、前面側棒状材３５３、３５４とも言う。
【００２８】
図４（ａ）に示すように、２本の背側棒状材３５１、３５２の一方（第２棒状材３５２）は、外壁脇壁部２２ａ外面と入り隅側柱側面２３ａとの境界付近に配置されている。この背側棒状材３５２を、以下、隅部棒状材とも言う。
枠体３１の４本の棒状材３５のうち、隅部棒状材３５２と、その枠体３１前面側に位置する前面側棒状材３５３（第３棒状材）とは、入り隅側柱側面２３ａに沿って上下方向に延在配置されている。
【００２９】
図３、図６に示すように、図示例の枠体３１は、ビス等のピン状固定具３１ａを用いてベランダ側外壁２２に固定される固定用部材３６を有している。図３、図４（ａ）に示すように、固定用部材３６は、枠対３１の２本の背側棒状材３５に両端を固定して設けられた長板状部材である。以下、図３、図４（ａ）に示す長板状の固定用部材３６を長板状固定用部材とも言う。長板状固定用部材３６は枠体３１の背側に設けられている。
【００３０】
図５は長板状固定用部材３６を示す拡大正面図、図６は長板状固定用部材３６を示す拡大側面図である。
図５、図６に示すように長板状固定用部材３６は、固定具挿通孔３６ｅが形成された平板状（具体的には長板状）の固定板部３６ａを有している。固定具挿通孔３６ｅは、固定板部３６ａの板厚を貫通して形成されている。
長板状固定用部材３６は、その長手方向が背側棒状材３５１、３５２延在方向（図３においては上下方向）に垂直、かつ固定板部３６ａ両面の長手方向に垂直の幅方向が背側棒状材３５１、３５２延在方向に一致する向きで２本の背側棒状材３５１、３５２に固定されている。
【００３１】
図５、図６等に示す長板状固定用部材３６は、一枚の長板状金属板を折曲加工して形成されている。
長板状固定用部材３６は、固定板部３６ａの他に、固定板部３６ａの幅方向両端からそれぞれ固定板部３６ａ片面側に立ち上げられた立ち上げ部３６ｂ、３６ｃ、及び一方の立ち上げ部３６ｂの先端（固定板部３６ａ側とは反対側の端）から他方の立ち上げ部３６ｃとは反対の側へ延出された条体取付部３６ｄ（後述）も有している。
立ち上げ部３６ｂ、３６ｃ及び条体取付部３６ｄは、それぞれ、固定板部３６ａと平行に延在する長板状に形成されている。また、図５に示すように、立ち上げ部３６ｂ、３６ｃ及び条体取付部３６ｄは、固定板部３６ａからその長手方向両側へ張り出す張出部を有している。
【００３２】
図３に示す長板状固定用部材３６は、その長手方向両端部を背側棒状材３５１、３５２に溶接して固定されている。
長板状固定用部材３６は、具体的には、図３に示すように、２本の背側棒状材３５１、３５２の間に配置した固定板部３６ａの長手方向両端を背側棒状材３５１、３５２に溶接して背側棒状材３５１、３５２に固定している。図３、図７に示すように、立ち上げ部３６ｂ、３６ｃの張出部は、背側棒状材３５１、３５２に背側とは反対の側（以下、前面側、とも言う）から当接されている。
【００３３】
図３に示す上板部３３及び下板部３４は、それぞれ、主板部３３ａ、３４ａからその片面側の周囲に垂直に立ち上げられた周囲壁３３ｂ、３４ｂを有する。周囲壁３３ｂ、３４ｂは、主板部３３ａ、３４ａの四隅の角部に対応する４つのコーナー部を有する。
枠体３１の各棒状材３５は、その長手方向両端を、周囲壁３３ｂ、３４ｂのコーナー部における突端（主板部３３ａ、３４ａとは反対側の端）に突き当て、周囲壁３３ｂ、３４ｂに溶接して、上板部３３及び下板部３４に固定されている。
棒状材３５は、周囲壁３３ｂ、３４ｂを介して上板部主板部３３ａ及び下板部主板部３４ａの角部同士を連結している。
【００３４】
各棒状材３５は、断面Ｌ字形で延在する棒状に形成されている。棒状材３５は、互いに垂直の２つの板部によって構成されている。棒状材３５は、周囲壁３３ｂ、３４ｂのコーナー部における突端に突き当ててコーナー部外側面に面一に配置した長手方向端部を周囲壁３３ｂ、３４ｂに溶接して、上板部３３及び下板部３４に固定されている。
棒状材３５は、具体的には、長板状金属板を折曲加工して断面Ｌ字形で延在する棒状に形成されている。棒状材３５の形成材料は、例えば、溶融亜鉛めっき鋼板、ステンレス鋼板等を好適に用いることができる。また、金属板２１の厚み（板厚）は１．５〜３．２ｍｍが好適であるが、これに限定されるものではない。なお、図４（ａ）では、他の図に比べて棒状材３５の板厚を誇張して大きく図示している。
断面Ｌ字形で延在する棒状材３５は、例えば山形鋼を用いることも可能である。しかしながら山形鋼はＬ字形の断面における角部付近の肉厚が、角部から延在する２つの板部の先端部付近の板厚に比べて大きいことが一般的である。長板状金属板を折曲加工して形成される棒状材３５は山形鋼に比べて軽量化の点で有利である。長板状金属板を折曲加工して形成される棒状材３５を用いて組み立てた枠体３１は、山形鋼を用いる場合に比べて軽量化を容易に実現できる。
【００３５】
図３の枠体３１の上板部３３及び下板部３４の周囲壁３３ｂ、３４ｂは、それぞれ、主板部３３ａ、３４ａを形成する金属板の、主板部３３ａ、３４ａ部分に対するその周囲に位置する部分の折曲加工によって形成されている。主板部３３ａ、３４ａ及び周囲壁３３ｂ、３４ｂを形成する金属板の厚みは、棒状材３５を形成する金属板の厚みと同じに揃えられている。周囲壁３３ｂ、３４ｂに固定された棒状材３５は、周囲壁３３ｂ、３４ｂのコーナー部外側面に面一であるのみならず、周囲壁３３ｂ、３４ｂのコーナー部内側面にも面一に設けられている。
また、図３の枠体３１は、周囲壁３３ｂ、３４ｂ内側面と、断面Ｌ字状の棒状材３５の内側面（内角側の側面）とに溶接された連結補助板３１ａも有している。
【００３６】
２本の背側棒状材３５１、３５２のそれぞれの２板部のうち背側に位置する板部３５ａ（図３、図４（ａ）、図７参照）を、以下、背側板部、とも言う。
図３、図７に示すように、長板状固定用部材３６の立ち上げ部３６ｂ、３６ｃ及び条体取付部３６ｄの長手方向両側の張出部は、具体的には、背側棒状材３５１、３５２の背側板部３５ａに前面側から当接されている。図６等に示すように、条体取付部３６ｄは、背側棒状材３５１、３５２の背側板部３５ａから枠体３１前面側にずれた位置に配置されている。また、図７に示すように、長板状固定用部材３６の固定板部３６ａは、立ち上げ部３６ｂ、３６ｃ側とは反対側の面を背側棒状材３５１、３５２の背側板部３５ａの背側の面に面一に配置して、背側棒状材３５１、３５２の背側板部３５ａに溶接して設けられている。
【００３７】
図３、図４（ａ）に示すように、この実施形態の建物２０のベランダ側外壁２２はパネル２２ｃ（以下、壁用パネルとも言う）を内蔵している。また、ベランダ側外壁２２は、図４（ａ）に示すように、壁用パネル２２ｃの外面側（ベランダ２１側）を覆う塗材層２２ｄ、及び塗材層２２ｄの外面側を覆う仕上げ材層２２ｅ（以下、壁仕上げ材層、とも言う）も有している。
図３に示すように、壁用パネル２２ｃはベランダ側外壁２２に複数建て込まれている。塗材層２２ｄは、ベランダ側外壁２２に建て込まれた全ての壁用パネル２２ｃの外面側を覆っている。
図３、図４（ａ）に示す壁用パネル２２ｃは軽量発泡コンクリート(ＡＬＣ:Autoclaved Lightweight aerated Concrete)板である。但し、壁用パネル２２ｃとしては、軽量発泡コンクリート以外、例えば木質接着複合パネル等の壁用パネルとして周知のものを使用可能である。
【００３８】
壁仕上げ材層２２ｅは、ベランダ側外壁２２の外面を形成している。壁仕上げ材層２２ｅは、周知の仕上げ塗材層、タイル層等を採用できる。
ベランダ側外壁２２の外面は、壁仕上げ材層２２ｅ外面によって形成されている。
【００３９】
一方、柱２３は、図４（ａ）に示すように、鉄筋コンクリート造あるいは鉄骨鉄筋コンクリート造の柱本体２３ｃと、柱本体２３ｃの柱張出部２３ｂに位置する部分の周囲に建て込まれた複数のパネル２３ｄと、これらパネル２３ｄの外面側を覆う塗材層２３ｅと、塗材層２３ｅの外面側を覆う仕上げ材層２３ｆ（以下、柱仕上げ材層、とも言う）とを有する。
パネル２３ｄは、例えば軽量発泡コンクリート板、木質接着複合パネル等を採用できる。
塗材層２３ｅは、ベランダ側外壁２２の塗材層２２ｄを柱２３側にも連続させて形成したものであっても良い。
【００４０】
柱仕上げ材層２３ｆは、ベランダ側外壁２２の壁仕上げ材層２２ｅに使用可能なものを採用できる。
柱張出部２３ｂの外面は、塗材層２３ｅ外面側に形成された柱仕上げ材層２３ｆによって形成されている。
【００４１】
図２、図４（ａ）に示す枠体３１の、上板部３３及び下板部３４の周囲壁３３ｂ、３４ｂ、背側棒状材３５１、３５２の背側板部３５ａの、それぞれの背側には、外壁脇壁部２２ａ外面との間を気密に封止するパッキン（図示略）が設けられている。枠体３１は、上板部３３及び下板部３４の周囲壁３３ｂ、３４ｂ、背側棒状材３５１、３５２の背側板部３５ａのそれぞれの背側に設けられたパッキンを外壁脇壁部２２ａ外面に当接させて外壁脇壁部２２ａに固定されている。枠体３１は、図６に示すように、長板状固定用部材３６の固定板部３６ａの固定具挿通孔３６ｅに通したピン状固定具３１ａによって外壁脇壁部２２ａに固定されている。
また、上板部３３及び下板部３４の周囲壁３３ｂ、３４ｂと、隅部棒状材３５２と、隅部棒状材３５２の枠体３１前面側に位置する前面側棒状材３５３（第３棒状材）の、柱張出部２３ｂに対向する側には、これらと柱張出部２３ｂの入り隅側柱側面２３ａとの間を気密に封止するパッキン（図示略）が設けられている。枠体３１は、上板部３３及び下板部３４の周囲壁３３ｂ、３４ｂと、隅部棒状材３５２と、隅部棒状材３５２の枠体３１前面側に位置する前面側棒状材３５３（第３棒状材）の、それぞれの柱張出部２３ｂに対向する側に設けられたパッキンを柱張出部２３ｂの入り隅側柱側面２３ａに当接させて、外壁脇壁部２２ａに取り付けられている。
【００４２】
図６の固定具３１ａは具体的にはビスである。このビスは、長板状固定用部材３６の固定板部３６ａの固定具挿通孔３６ｅに通したねじ軸部を壁用パネル２２ｃにねじ込み、ねじ軸部片端に設けられた頭部と外壁脇壁部２２ａとの間に固定板部３６ａを締め付け固定している。ビスのねじ軸部は外壁脇壁部２２ａの仕上げ材層２２ｅ及び塗材層２２ｄを貫通している。ビスの頭部は、固定板部３６ａの固定具挿通孔３６ｅを通過不可能なサイズに形成されており、長板状固定用部材３６を枠体３１前面側から押圧する。
なお、枠体３１を外壁脇壁部２２ａに固定する固定具３１ａは、ビスに限定されず、例えばあと施工アンカー等も採用可能である。
【００４３】
図６、図８に示すように、固定具挿通孔３６ｅは、固定板部３６ａの長手方向複数箇所に設けられている。また、図３、図８に示すように、長板状固定用部材３６は、背側棒状材３５１、３５２の長手方向（上下方向）の複数箇所（図示例では３箇所）に設けられている。
枠体３１は、各長板状固定用部材３６の複数の固定具挿通孔３６ｅに通して壁用パネル２２ｃにねじ込まれた複数の固定具３１ａによって外壁脇壁部２２ａにしっかりと固定されている。
【００４４】
枠体３１について、その前面側から見て左右方向（図４（ａ）左右方向）を、以下、左右方向、とも言う。また、枠体３１の左右方向両側のうち、ベランダ内周形成部（図４（ａ）では入り隅側柱側面２３ａ）に対向配置される側を、以下、左右方向建物側とも言う。図４（ａ）等に示す屋外ダクト１０においては、枠体３１の左右方向両側の側部のうち、右側（前面視右側）の側部のみが左右方向建物側の側部である。
また、枠体３１の左右方向両側のうち、左右方向建物側とは反対の側を、以下、ベランダ空間側（あるいは、左右方向ベランダ空間側）とも言う。図４（ａ）等に示す屋外ダクト１０において、枠体３１の左右方向左側（前面視左側）の側部はベランダ空間側の側部である。
【００４５】
図３、図４（ａ）に示すように、外板３２は、枠体３１前面側と、枠体３１左右方向左側のベランダ空間側側部とを覆うＬ字板状に形成されている。
図３に示すように、この実施形態のダクト用ユニット３０は、枠体３１の上下方向の互いに異なる位置に取り付けられる２枚の外板３２を有する。
【００４６】
図１、図４（ａ）等において、ダクト用ユニット３０の２枚の外板３２は、それぞれ枠体３１にねじ止めによって脱着可能に取り付けられている。図３に示すように、各外板３２には、枠体３１へのねじ止めのための止めねじが挿通されるねじ挿通孔３２ａが形成されている。
また、図３、図８に示すように、下板部３４の周囲壁３４ｂ前面側部分の左右両端部、及び前面側棒状材３５３、３５４の延在方向（上下方向）中央部には、外板３２のねじ止めのためのねじ穴３５ｂ（雌ねじ穴）が形成されている。なお、外板３２のねじ止めのためのねじ穴３５ｂ（雌ねじ穴）は、下板部３４の周囲壁３４ｂの左右方向ベランダ空間側部分の前面側端部及び背側端部と、第１棒状材３５１及び第４棒状材３５４における枠体３１の左右方向ベランダ空間側側部を形成する板部にも形成されている。
【００４７】
ここで２枚の外板３２の枠体３１に対する取付構造の一例を図３を参照して説明する。
図３に示すように、下側の外板３２（以下、第１外板３２１とも言う）の下端部は、枠体３１の下板部３４の周囲壁３４ｂの前面側及びベランダ空間側側部側の部分にねじ止めして該部分の外側面に重ね合わされる。また、第１外板３２１は、その上端に突出された突片３５ｃが上側の外板３２（第２外板３２２）の下端部によって枠体３１の棒状材３５３、３５４、３５１に押さえ込まれる。
【００４８】
第１外板３２１及び第２外板３２２は互いに同様の形状及びサイズで形成されている。
各外板３２の外板本体３２ｂは、枠体３１前面側に配置される前面板部３２ｆと、この前面板部３２ｆから垂直に延在し、枠体３１のベランダ空間側側部を覆うように配置される側板部３２ｇとを有する。
各外板３２のねじ挿通孔３２ａは、前面板部３２ｆの下端部の左右両端部と、側板部３２ｇの下端部の延在方向両端部（前面板部３２ｆ側の端部及び前面板部３２ｆとは反対側の端部）とに形成されている。
突片３２ｃは、Ｌ字板状の外板本体３２ｂの枠体３１に対向する内側面上端部から外板本体３２ｂ上側へ突出されている。突片３２ｃは、枠体３１の棒状材３５外側面への重ね合わせを避けるべく、外板本体３２ｂの前面板部３２ｆの左右方向両端部間と、側板部３２ｇの前面板部３２ｆからの延出方向両端部間とに設けられている。
【００４９】
図３に示すように、ダクト用ユニット３０は、第２外板３２２の突片３２ｃを枠体３１に押さえ込むための外板押さえ板３２ｄも有している。
外板押さえ板３２ｄは、上板部３３の周囲壁３３ｂの前面側及びベランダ空間側の部分にねじ止めして該部分の外側面に重ね合わされるＬ字板状に形成されている。上板部３３の周囲壁３３ｂの前面側部分の左右両端部及びベランダ空間側部分の背側端部には、外板押さえ板３２ｄのねじ止めのための止めねじがねじ込まれるねじ穴３５ｃ（雌ねじ穴。ベランダ空間側部分の背側端部のねじ穴は図示略）が形成されている。外板押さえ板３２ｄには、各ねじ穴に対応する３箇所にねじ挿通孔３２ｅが形成されている。
外板押さえ板３２ｄは、上板部３３の周囲壁３３ｂにねじ止め固定されている。なお、上板部３３に対する外板押さえ板３２ｄの固定はねじ止めに限定されず、例えば溶接等も採用可能である。
【００５０】
上板部３３に固定された外板押さえ板３２ｄは、上板部３３の周囲壁３３ｂの下側に突出した部分（以下、外板押さえ片部、とも言う）を有する。
第２外板３２２は、外板押さえ板３２ｄの外板押さえ片部の枠体３１側にその下側から突片３２ｃを差し込み、外板本体３２ｂ下端部を棒状材３２５、３５４、３５１にねじ止めして枠体３１に取り付けられている。外板押さえ板３２ｄの外板押さえ片部は、第２外板３２２の上端部（具体的には突片３２ｃ）を枠体３１へ押さえ込む。なお、図４（ａ）では、枠体３１と外板３２との関係を示すべく、外板押さえ板３２ｄの図示を省略している。
第１外板３２１は、その下端部の下板部３４の周囲壁３４ｂへのねじ止めと、突片３２ｃの第２外板３２２下端部による枠体３１への押さえ込みとによって、枠体３１に取り付けられている。
【００５１】
外板３２１、３２２は、枠体３１のねじ穴３５ｂにねじ込んだ止めねじの締め付け固定と、止めねじの締め付け時とは逆向きの回転操作による枠体３１からの抜き出しとによって、枠体３１に対する脱着を切り換えることができる。
なお、外板３２を枠体３１に脱着可能に取り付けるための構造は、図３に例示した構成に限定されず、他の構成も採用可能である。例えば、各外板３２の上下両端部を枠体３１の構成部材に直接ねじ止めする構成を採用し、各外板３２の突片３２ｃ及び外板押さえ板３２ｄを省略しても良い。
【００５２】
図１、図４（ａ）において、枠体３１側周のうち、ベランダ側外壁２２に対向する背側、及び入り隅側柱側面２３ａに対向する側部は、ベランダ側外壁２２、柱張出部２３ｂによって覆われ、前面側とベランダ空間側側部とは外板３２によって覆われている。
図２に示すように、屋外ダクト１０には、ベランダ側外壁２２と、柱張出部２３ｂと、外板３２とによって取り囲まれた内側のダクト内側空間１１が確保されている。
【００５３】
図３に示すように、上板部３３は、主板部３３ａと、周囲壁３３ｂと、主板部３３ａ上に突出された換気ダクト接続筒３３ｃ及び条体挿通筒３３ｄとを有する。
また、上板部３３の上板部主板部３３ａにはドレン管挿通孔３３ｆが開口形成されている。
【００５４】
図３等に示す枠体３１の換気ダクト接続筒３３ｃは円筒状である。図３等に示す換気ダクト接続筒３３ｃは、上板部主板部３３ａに開口された開口部に挿入した下端部を溶接、ねじ止め等によって上板部主板部３３ａに固定し、主板部３３ａ上に突出した部分を確保して設けられている。
【００５５】
なお、換気ダクト接続筒は、上板部主板部３３ａ上に溶接、ねじ止め等によって固定して上板部主板部３３ａ上に突設された円筒体であっても良い。この構成の場合は、円筒体の内側空間を上板部主板部３３ａに開口形成した開口部と連通させた貫通空間を確保する。
【００５６】
図１〜図３に示すように、換気ダクト接続筒３３ｃには、建物２０のベランダ側外壁２２から建物２０外側（具体的にはベランダ２１側）へ延出された換気ダクト４１の先端部が接続されている。換気ダクト接続筒３３ｃには、換気ダクト４１の先端部が外挿固定されている。換気ダクト接続筒３３ｃは換気ダクト接続口として機能する。換気ダクト４１内側空間は、換気ダクト接続筒３３ｃ内側の貫通空間を介して、屋外ダクト１０内側のダクト内側空間１１と連通されている。
【００５７】
図３に示すように、下板部３４の主板部３４ａには通気口３４ｃが形成されている。
図３等に示す枠体３１の上板部３３は、換気ダクト接続筒３３ｃを複数有している。下板部３４の通気口３４ｃには、上板部３３の複数の換気ダクト接続筒３３ｃの換気ダクト接続口の断面積（貫通空間軸線方向に垂直の断面積）合計に比べて大きい開口面積が確保されている。
【００５８】
また、図３、図８〜図１０に示すように、ダクト用ユニット３０は、下板部主板部３４ａに脱着可能に取り付けられて、下板部主板部３４ａ下側に設けられた網付き枠３７を有している。
網付き枠３７は、下板部３４の通気口３４ｃ全体を覆う網体３７ａと、網体３７ａの外周部が取り付けられた保持枠３７ｂとを有している。
【００５９】
網体３７ａは、屋外ダクト１０外側から屋外ダクト１０のダクト内側空間１１への虫の侵入を防ぐ通気性の防虫部材である。網体３７ａは、長さ２５．４ｍｍの範囲に存在する目の数が８〜１５、あるいは８〜１５メッシュ（長さ１インチの範囲に存在する目の数が８〜１５）程度のものを好適に用いることができる。
【００６０】
図１０に示すように、保持枠３７ｂは、通気口３４ｃ全体を取り囲むことができる大きさに形成されている。保持枠３７ｂは、止めねじ３７ｃによって下板部主板部３４ａに脱着可能に取り付け（ねじ止め）られて、下板部主板部３４ａにおける通気口３４ｃ周囲に位置する部分に重ね合わされている。
図３に示すように、通気口３４ｃは下板部主板部３４ａに長方形状に形成されている。図９、図１０に示すように、保持枠３７ｂは、通気口３４ｃ全体を取り囲むことが可能な四角枠状に形成されている。
【００６１】
図１０に示すように、網体３７ａは、その外周部を保持枠３７ｂに固定して、保持枠３７ｂ内側全体に延在されている。網体３７ａの保持枠３７ｂ内側に位置する部分には、通気口３４ｃ全体を覆うことが可能なサイズ（面方向サイズ）が確保されている。
【００６２】
図８〜図１０に示すように、保持枠３７ｂの複数箇所（図示例では４箇所）には、止めねじ３７ｃを通すためのねじ挿通孔（図示略）が貫設されている。網付き枠３７は、保持枠３７ｂのねじ挿通孔（図示略）に通した止めねじ３７ｃを下板部主板部３４ａの通気口３４ｃ周囲に形成されたねじ穴（図示略）にねじ込むことで、下板部主板部３４ａに脱着可能に取り付けられる。
また、止めねじ３７ｃによって下板部主板部３４ａに取り付けられた網付き枠３７は、止めねじ３７ｃを下板部主板部３４ａのねじ穴へのねじ込み時とは逆向きに回転操作してねじ穴から抜き出すことで、下板部主板部３４ａから取り外すことができる。
【００６３】
網付き枠３７は、止めねじ３７ｃの回転操作によって、下板部主板部３４ａに対して簡単に脱着できる。このため、屋外ダクト１０は、網付き枠３７の交換、網体３７ａの洗浄等を簡単に行える。
【００６４】
図８、図９に例示した止めねじ３７ｃは、ねじ軸部片端に、手動回転操作用の突部が突設された頭部を有する構成のボルト（所謂蝶ボルト。以下、手動操作形ボルト、とも言う）である。止めねじ３７ｃに手動操作形ボルトを採用した構成は、止めねじ３７ｃ（手動操作形ボルト）の手動回転操作によって、網付き枠３７の下板部主板部３４ａに対する脱着を簡単に行える。
【００６５】
なお、ダクト用ユニットは、網付き枠３７を用いる構成に限定されず、例えば、保持枠３７ｂに固定されていない網体３７ａと、網体３７ａの外周部を下板部主板部３４ａ下面との間に挟み込んで保持する保持枠３７ｂとを有する構成も採用可能である。
また、ダクト用ユニットは、網体にかえて、例えば不織布等からなる通気性フィルタを採用しても良い。ダクト用ユニットは、網体又は通気性フィルタである通気性防虫部材と、この通気性防虫部材の外周部が取り付けられた保持枠、あるいは通気性防虫部材の外周部を下板部主板部３４ａ下面との間に保持する保持枠とを有する構成を採用できる。保持枠３７ｂは、例えば、図８、図９、図１０に例示した網付き枠３７の保持枠３７ｂと同様の構成のものを採用できる。防虫部材は、住戸内部空間２４の換気のための通気口３４ｃの空気流量を充分に確保可能な通気性を有するものを採用する。
また、ダクト用ユニットは、保持枠を使用する構成に限定されず、例えば下板部３４に固定の通気性防虫部材を有する構成も採用可能である。
【００６６】
既述のように、枠体３１の上板部３３（以下、枠体上板部、とも言う）は条体挿通筒３３ｄ（図３参照）を有している。
また、図３に示すように、枠体３１の下板部３４（以下、枠体下板部、とも言う）は、下板部主板部３４ａ上に突出する条体挿通筒３４ｄを有している。
図３、図８において、条体挿通筒３３ｄ、３４ｄは、上板部３３及び下板部３４の主板部３３ａ、３４ａにそれぞれ開口形成された開口部に挿入した下端部を溶接、ねじ止め等によって主板部３３ａ、３４ａに固定し、主板部３３ａ、３４ａ上に突出する部分を確保して設けられている。
【００６７】
上板部３３及び下板部３４には、条体挿通筒３３ｄ、３４ｄ内側の貫通空間である条体挿通孔３３ｅ、３４ｅが確保されている。図３において、条体挿通孔３３ｅ、３４ｅは、枠体３１の上板部３３と下板部３４と４本の棒状材３５とに取り囲まれた内側のスペース３１ｃ（以下、枠体内側スペースとも言う）に連通している。なお、枠体内側スペース３１ｃはダクト内側空間１１の一部である。
【００６８】
また、図４（ａ）、図９に示すように、条体挿通筒３３ｄ、３４ｄは上板部３３及び下板部３４のそれぞれに複数設けられている（図示例では上板部３３及び下板部３４のそれぞれに５つずつ設けられている）。条体挿通孔３３ｅ、３４ｅは上板部３３及び下板部３４に互いに同数確保されている。図３に示すように、条体挿通孔３３ｅ、３４ｅは上板部３３及び下板部３４の枠体内側スペース３１ｃを介して互いに対向する位置に形成されている。上板部３３及び下板部３４の枠体内側スペース３１ｃを介して互いに対向する位置の条体挿通孔３３ｅ、３４ｅは互いに同軸上に形成されている。
【００６９】
なお、図３、図４（ａ）に示すように、上板部３３の条体挿通孔３３ｅは、換気ダクト接続筒３３ｃから背側にずれた位置に確保されている。上板部３３の複数の条体挿通孔３３ｅは、上板部主板部３３ａの背側端部に左右方向に配列形成されている。
また、図３、図９に示すように、下板部３４の条体挿通孔３４ｅは、通気口３４ｃから背側にずれた位置に確保されている。下板部３４の複数の条体挿通孔３４ｅは、下板部主板部３４ａの背側端部に左右方向に配列形成されている。
【００７０】
条体挿通筒３３ｄ、３４ｄは、その全体を上板部３３及び下板部３４の主板部３３ａ、３４ａ上に配置して、溶接、ねじ止め等によって主板部３３ａ、３４ａ上に固定された筒体であっても良い。この構成の場合は、円筒体の内側空間を主板部３３ａ、３４ａに開口形成した開口部と連通させた貫通空間（条体挿通孔３３ｅ、３４ｅ）を確保する。
また、枠体３１は、条体挿通筒３３ｄ、３４ｄを省略して、上板部３３及び下板部３４の主板部３３ａ、３４ａに条体挿通孔３３ｅ、３４ｅが直接開口形成された構成も採用可能である。
【００７１】
図３、図８に示すように、屋外ダクト１０の枠体３１には、条体挿通孔３３ｅ、３４ｅに挿通して枠体内側スペース３１ｃを貫通させた条体ユニット４２（設備用条体）が引き通されている。
図４（ｂ）に示すように、条体ユニット４２は、液管４３ａ（冷媒管）及びガス管４３ｂ（冷媒管）を断熱材４３ｃによって一括被覆した構成の冷媒管ユニット４３と、電気ケーブル４４とで構成されている。電気ケーブル４４は、冷媒管ユニット４３の側面に冷媒管ユニット４３長手方向に沿わせて設けられている。条体ユニット４２は、冷媒管ユニット４３と電気ケーブル４４とを、インシュロックタイ等の紐状結束部材による結束、粘着テープの巻き付けなどによって結束した構成である。
【００７２】
図２に示すように、建物２０における屋外ダクト１０を設けたベランダ２１の上階のベランダ２１（図中符号２８を付記する）のベランダ床２１ａを、以下、上階ベランダ床とも言う（図中符号２８ａを付記する）。上階ベランダ床２８ａの下側にはベランダ天井２９が設けられている。ベランダ天井２９は、複数のボード（例えば合板、石膏ボード等）によって、上階ベランダ床２８ａから下方に離隔した位置に上階ベランダ床２８ａに沿って構築されている。ベランダ天井２９と上階ベランダ床２８ａとの間には、空間２９ｂ（以下、ベランダ天井裏空間、とも言う）が確保されている。ベランダ天井２９を構成するボードは、図示略の支持具等によって上階ベランダ床２８ａに支持されている。
上階のベランダ２８は、建物２０のベランダ側外壁２２から張り出す上階ベランダ床２８ａの突端部から下方へ突出する下側張り出し壁２８ｂを有している。ベランダ天井２９の建物２０外側（ベランダ側外壁２２とは反対の側）の端は下側張り出し壁２８ｂによって覆われている。
なお、ベランダ側外壁２２及び柱張出部２３ｂの塗材層２２ｄ、２３ｅは、ベランダ側外壁２２及び柱張出部２３ｂにそれぞれ複数立て込まれたパネル２２ｃ、２３ｄの外面側全体に形成されているが、仕上げ材層２２ｅ、２３ｆは塗材層２２ｄ、２３ｅのベランダ天井裏空間２９ｂに臨む部分を除く領域の外面側全体に形成されている。仕上げ材層２２ｅ、２３ｆは塗材層２２ｄ、２３ｅのベランダ天井裏空間２９ｂに臨む部分には形成されていない。
【００７３】
図２、図８に示すように、ベランダ天井２９には、枠体３１の上板部主板部３３ａ外周と概ね一致する内周寸法の開口部２９ａ（以下、ベランダ天井開口部、とも言う）が形成されている。屋外ダクト１０の枠体３１は、その上板部主板部３３ａをベランダ天井開口部２９ａ内に配置してベランダ側外壁２２に取り付けられている。図２、図８に例示したベランダ天井開口部２９ａ内には、屋外ダクト１０の枠体上板部３３に固定した外板抑え板３２ｄも収納される。
枠体上板部３３の換気ダクト接続筒３３ｃ、条体挿通筒３３ｄ、ドレン管挿通孔３３ｆは、ベランダ天井裏空間２９ｂに臨ませて設けられている。図２、図８に示す屋外ダクト１０において、換気ダクト接続筒３３ｃ及び条体挿通筒３３ｄは枠体上板部３３からベランダ天井裏空間２９ｂに突出されている。
なお、枠体３１のベランダ内周形成部に対する上下方向の取り付け位置（取り付け高さ）は、ベランダ天井２９が枠体に対する外板３２（外板のうち枠体に対して最も上側に取り付けられるもの）の脱着の障害になることを回避でき、枠体に対する外板３２の脱着を可能にするべく調整されている。
【００７４】
図１、図２に示すように、換気ダクト４１は、ベランダ側外壁２２のベランダ天井裏空間２９ｂに臨む部分２２ｆ（以下、ベランダ側上壁部、とも言う）に貫設されたスリーブ（換気ダクト用スリーブ２２ｇ）を介して建物本体２０Ａ内側からベランダ天井裏空間２９ｂへ延出されている。
図１に示す例では、ベランダ側外壁２２からベランダ天井裏空間２９ｂへ換気ダクト４１が複数本（図１では２本）延出されている。複数本の換気ダクト４１はそれぞれ換気ダクト用スリーブ２２ｇに通されてベランダ側外壁２２からベランダ天井裏空間２９ｂへ延出されている。ベランダ側外壁２２からベランダ天井裏空間２９ｂへ延出された複数本の換気ダクト４１のうち、１本は外気を住戸内部空間２４に取り込むための給気ダクト４１Ａ、他は住戸内部空間２４から建物本体２０Ａ外への排気用の排気ダクト４１Ｂである。
【００７５】
屋外ダクト１０の枠体３１の換気ダクト接続筒３３ｃには、給気ダクト４１Ａの建物本体２０Ａからベランダ天井裏空間２９ｂへ延出された部分の先端部が外挿固定されている。排気ダクト４１Ｂの建物本体２０Ａからベランダ天井裏空間２９ｂへ延出された部分の先端部は、ベランダ天井２９にその下面に開口させて設けられたガラリ２９ｃに接続されている。ガラリ２９ｃは排気ダクト出口として機能する。
【００７６】
図３、図４（ａ）に示すように、枠体上板部３３の複数の換気ダクト接続筒３３ｃの外径は互いに異なっている。換気ダクト４１はその内径に応じて、接続可能な換気ダクト接続筒３３ｃに選択して接続する。枠体３１は、建物２０に設けられる換気ダクト４１の内径に応じて、換気ダクト４１を接続可能な外径の換気ダクト接続筒３３ｃを有するものを採用する。
【００７７】
屋外ダクト１０は、枠体上板部３３の複数の換気ダクト接続筒３３ｃの全てに換気ダクト４１を接続して使用することが可能である。
また、枠体上板部３３の複数の換気ダクト接続筒３３ｃのうち、換気ダクト４１が接続されない空きの換気ダクト接続筒３３ｃは、脱着可能なキャップの装着等によって気密に封止する。
【００７８】
図２、図３に示す条体ユニット４２における、枠体上板部３３の条体挿通孔３３ｅから枠体３１外側へ延出された部分を、以下、条体ユニット屋内機側延在部とも言う。また、条体ユニット４２における、枠体下板部３４の条体挿通孔３４ｅから枠体３１外側へ延出された部分を、以下、条体ユニット屋外機側延在部とも言う。
【００７９】
図１に示すように、建物本体２０Ａのベランダ側上壁部２２ｆには、条体ユニット４２をベランダ側上壁部２２ｆを介して建物本体２０Ａの内外に通すための条体挿通用スリーブ２２ｈが貫設されている。条体ユニット屋内機側延在部は、枠体上板部３３の条体挿通孔３３ｅからベランダ天井裏空間２９ｂと条体挿通用スリーブ２２ｈ内側とを介して建物本体２０Ａ内へ引き込まれている。
【００８０】
条体ユニット４２の冷媒管ユニット４３のその延在方向両端には、液管４３ａ、ガス管４３ｂの端部が露出されている。電気ケーブル４４は、冷媒管ユニット４３の延在方向全長にわたって設けられている。条体ユニット４２の液管４３ａ、ガス管４３ｂ、電気ケーブル４４の一端は建物本体２０Ａ内の空調屋内機に接続され、他端はベランダ床２１ａ上に設置された空調屋外機４７（空調設備の屋外機）に接続されている。
なお、図１において、条体ユニット４２毎に設けられた複数の空調屋外機４７は、ベランダ床２１ａ上への段積み等によって屋外ダクト１０付近に集中設置されている。
【００８１】
図３、図８に例示した屋外ダクト１０の枠体３１には３本の条体ユニット４２が引き通されている。条体ユニット４２は、それぞれ、建物本体２０Ａ内の特定の１つの空調屋内機とベランダ２０の空調屋外機との間を接続している。
建物本体２０Ａ内には空調屋内機が３以上設けられている。
なお、屋外ダクト１０の枠体３１に引き通す条体ユニット４２の本数は１以上であれば良く、３本以外の複数本であっても良い。建物本体２０Ａ内の空調屋内機の数は、屋外ダクト１０の枠体３１に引き通す条体ユニット４２の数（本数）と同じかそれよりも多い。
【００８２】
条体ユニット４２の、枠体３１から条体挿通用スリーブ２２ｈ（図１参照）までの延在部分は、ベランダ内周形成部（例えばベランダ側外壁２２等）あるいは上階ベランダ床２８ａに支持された図示略のダクトに収納されている。
また、条体ユニット屋外機側延在部は、その延在方向における空調屋外機４７側の端部を除くほぼ全長が、条体ユニット４２に断熱材と、アルミニウム、ステンレス等の金属板とを巻き付けて構成されたラッキング層４２ａによって覆われている。
【００８３】
図２、図３、図８に示すように条体ユニット４２の枠体内側スペース３１ｃ内に位置する部分４２ｂを、以下、枠体内延在部、あるいは条体ユニット枠体内延在部とも言う。
条体ユニット枠体内延在部４２ｂにはラッキング層４２ａは設けられていない。
ラッキング層４２ａは、条体ユニット屋外機側延在部が衝突物の衝突等によって曲げられて、条体ユニット屋外機側延在部に冷媒管内の冷媒の流路抵抗が許容できないレベルに高まる曲げが与えられることを防ぐ役割を果たす。
これに対して、条体ユニット枠体内延在部４２ｂは、その全体が屋外ダクト１０によって衝突物の衝突等から保護されているため、ラッキング層４２ａを設ける必要が無い。
【００８４】
図６、図８に示すように、条体ユニット枠体内延在部４２ｂは、枠体３１の長板状固定用部材３６の条体取付部３６ｄに引留め具３６ｇによって拘束され引き留められている。
図６、図８に例示した引留め具３６ｇは手指で容易に曲げ変形可能な紐状部材である。以下、引留め具３６ｇとして機能する紐状部材を紐状引留め材とも言う。図６、図８に例示した紐状引留め材３６ｇは具体的にはインシュロックタイである。
【００８５】
図５、図６に示すように、枠体３１の長板状固定用部材３６の条体取付部３６ｄには、紐状引留め材３６ｇを通すための紐状引留め材挿通孔３６ｆが貫設されている。紐状引留め材３６ｇは、長板状固定用部材３６の条体取付部３６ｄに複数形成された紐状引留め材挿通孔３６ｆの２つに通して、条体取付部３６ｄ前面側に配置された条体ユニット枠体内延在部４２ｂの前面側、及び条体取付部３６ｄの背側に巻き掛けられている。そして、紐状引留め材３６ｇは、その延在方向に互いに離隔する箇所同士を結合（係合）させて、条体ユニット枠体内延在部４２ｂを条体取付部３６ｄに拘束し（引き留め）た状態を維持している。
【００８６】
図６に示す長板状固定用部材３６の一対の立ち上げ部３６ｂ、３６ｃのうち、条体取付部３６ｄ側の立ち上げ部３６ｂを、以下、第１立ち上げ部、固定板部３６ａを介して第１立ち上げ部３６ｂとは反対の側の立ち上げ部３６ｃを、以下、第２立ち上げ部とも言う。第２立ち上げ部３６ｃの固定板部３６ａからの立ち上げ寸法は、第１立ち上げ部３６ｂの固定板部３６ａからの立ち上げ寸法よりも小さい。このため、第２立ち上げ部３６ｃは、条体ユニット枠体内延在部４２ｂを紐状引留め材３６ｇを用いて条体取付部３６ｄに拘束することの障害にならない。
なお、図６に示すように、紐状引留め材挿通孔３６ｆの条体取付部３６ｄ両面に開口する開口部には、紐状引留め材３６ｇを傷めにくくするためのテーパ状の面取りが施されている。
【００８７】
図３、図５、図６、図８に示すように、条体ユニット枠体内延在部４２ｂは、条体取付部３６ｄにおける紐状引留め材３６ｇを通した一対の紐状引留め材挿通孔３６ｆの間に位置する部分の前面側に配置されている。紐状引留め材３６ｇが通される紐状引留め材挿通孔３６ｆの対は、枠体３１の長板状固定用部材３６の条体取付部３６ｄの延在方向（左右方向）の複数箇所に設けられている。紐状引留め材挿通孔３６ｆの対は、条体取付部３６ｄにおける左右方向の位置を枠体３１の上板部３３及び下板部３４の条体挿通孔３３ｅ、３４ｅに対応させて、上板部３３及び下板部３４の条体挿通孔３３ｅ、３４ｅの対と同数設けられている。
【００８８】
なお、紐状引留め材３６ｇは、その延在方向に互いに離隔する箇所同士を結合させることで、条体ユニット枠体内延在部４２ｂを条体取付部３６ｄに拘束し（引き留め）た状態を維持可能なものであれば良く、インシュロックタイに限定されない。また、紐状引留め材３６ｇは、例えばインシュロックタイのように、その延在方向に互いに離隔する箇所同士の結合と結合解除とを容易に切り換え可能なものを採用することが好ましい。紐状引留め材３６ｇは、例えば、互いに係合可能な２つの面ファスナが取り付けられた紐や、結び目を形成可能な柔軟性を有する紐等であっても良い。
【００８９】
図３、図５、図８では、条体取付部３６ｄが枠体３１の長板状固定用部材３６の一部である構成を例示している。但し、枠体は、長板状固定用部材３６の固定板部３６ａとは別体に形成された条体取付部３６ｄを背側棒状材３５１、３５２に固定して左右方向に延在配置した構成も採用可能である。
引留め具３６ｇは、条体ユニット枠体内延在部４２ｂを枠体３１の条体取付部３６ｄに引き留め可能な構成であれば良く、紐状引留め材に限定されない。引留め具３６ｇは、例えば、条体取付部３６ｄへのねじ止めによって条体ユニット枠体内延在部４２ｂを条体取付部３６ｄに押さえ込む押さえ板等も採用可能である。また、引留め具３６ｇは、例えば、条体取付部３６ｄに枢着された一端とは反対の他端を条体取付部３６ｄに係脱可能に係合させることで条体ユニット枠体内延在部４２ｂを条体取付部３６ｄに押さえ込む回転押さえ部材などであっても良い。
【００９０】
図３、図４（ａ）、図８に示すように、枠体上板部３３の複数の条体挿通孔３４ｅの１つにはドレン管４６が挿入されている。
このドレン管４６は、空調屋内機からのドレン水をベランダ床２１ａのベランダドレンあるいは排水溝へ導いて排水するための屋内機排水管路の一部である。
【００９１】
図８に示すドレン管４６は条体挿通孔３４ｅを貫通して枠体上板部３３の上下に突出している。以下、このドレン管４６を、枠体上部ドレン管とも言う。
図８において、枠体上部ドレン管４６の下端は、枠体内側スペース３１ｃ内にて枠体３１の下板部３４よりも上方に配置されている。
図８に例示した枠体上部ドレン管４６は直管状に形成されている。枠体上部ドレン管４６の枠体上板部３３から上側に位置する部分は、枠体上板部３３の条体挿通孔３３ｅから真上に延出されている。
【００９２】
図１に示すように、ベランダ側外壁２２上部の条体挿通用スリーブ２２ｈには、条体ユニット４２の他に、住戸内部空間２４内の空調屋内機（図示略）に接続されたドレン管４５ａ（以下、屋内機ドレン管、とも言う）も挿通されている。屋内機ドレン管４５ａは、ベランダ側外壁２２上部の複数箇所の条体挿通用スリーブ２２ｈに１本ずつ挿通されている。
【００９３】
屋内機ドレン管４５ａは、建物本体２０Ａ内から条体挿通用スリーブ２２ｈを介してベランダ側外壁２２外面側（ベランダ側）へ引き出されている。条体挿通用スリーブ２２ｈを介してベランダ側外壁２２外面側（ベランダ側）へ引き出された複数の屋内機ドレン管４５ａは、枠体上部ドレン管４６の上端部（上流端部）に接続された中継ドレン管４５ｂに接続されている。枠体上部ドレン管４６には中継ドレン管４５ｂを介して複数本の屋内機ドレン管４５ａが接続されている。
【００９４】
屋内機ドレン管４５ａは、空調屋内機からのドレン水をベランダ側へ導く配管である。空調屋内機から屋内機ドレン管４５ａへ流入したドレン水は、屋内機ドレン管４５ａから中継ドレン管４５ｂを経由して枠体上部ドレン管４６へ流入する。枠体上部ドレン管４６には、中継ドレン管４５ｂを介して枠体上部ドレン管４６に接続された全ての屋内機ドレン管４５ａからドレン水が流入可能である。
【００９５】
図３、図８に示すように、枠体上部ドレン管４６の下端部（下流端部）には下流側ドレン管４５ｃが接続されている。図３に示すように、下流側ドレン管４５ｃは、枠体上部ドレン管４６が挿通された枠体上板部３３の条体挿通孔３３ｅに枠体内側スペース３１ｃを介して対向する枠体下板部３４の条体挿通孔３４ｅに挿通されている。図８に示すように、下流側ドレン管４５ｃは枠体下板部３４の条体挿通孔３４ｅから下方（屋外ダクト１０外側）へ引き出されている。下流側ドレン管４５ｃは枠体下板部３４の条体挿通孔３４ｅから屋外ダクト１０外側へ引き出された部分の先端（下流端）をベランダ床２１ａのドレン（以下、ベランダドレンとも言う）あるいは排水溝に配置している。下流側ドレン管４５ｃは、中継ドレン管４５ｂから枠体上部ドレン管４６へ流入したドレン水を枠体上部ドレン管４６からベランダ床２１ａのベランダドレンあるいは排水溝へ導いて排水する役割を果たす。
中継ドレン管４５ｂから枠体上部ドレン管４６へ流入したドレン水は、下流側ドレン管４５ｃを介してベランダ床２１ａのベランダドレンあるいは排水溝へ排水される。
【００９６】
屋内機ドレン管４５ａ、中継ドレン管４５ｂ、枠体上部ドレン管４６、下流側ドレン管４５ｃは、空調屋内機からのドレン水をベランダ床２１ａのベランダドレンあるいは排水溝へ導いて排水するための屋内機排水管路を構成する。屋外ダクト１０のダクト内側空間１１には屋内機排水管路の延在方向の一部が引き通されている。
屋内機ドレン管４５ａの空調屋内機に接続された上流端は、下流側ドレン管４５ｃの下流端（枠体上部ドレン管４６に接続された上流端とは反対側の端）に比べて上方に位置する。また、枠体上部ドレン管４６の上端部は、上下方向において条体挿通用スリーブ２２ｈよりも下方に位置する。
【００９７】
図１において、屋内機ドレン管４５ａは、条体挿通用スリーブ２２ｈからベランダ天井裏空間２９ｂへ引き出されている。中継ドレン管４５ｂはベランダ天井裏空間２９ｂ内に引き回されている。中継ドレン管４５ｂはベランダ天井裏空間２９ｂ内にて枠体上部ドレン管４６上端部に接続されている。
【００９８】
図３、図４（ａ）に示す枠体３１の上板部３３及び下板部３４の条体挿通孔３３ｅ、３４ｅのうち、条体ユニット４２または枠体上部ドレン管４６のいずれも挿通されない空きの条体挿通孔は、脱着可能なキャップの装着等によって気密に封止する。
枠体上板部３３のドレン管挿通孔３３ｆ（図３、図４（ａ）参照）は、上板部３３及び下板部３４の全ての条体挿通孔３３ｅ、３４ｅを条体ユニット４２の挿通に使用する場合に、枠体上部ドレン管４６の挿通に使用する。枠体上部ドレン管４６の挿通に使用しないドレン管挿通孔３３ｆは脱着可能なキャップの装着等によって気密に封止する。
【００９９】
なお、枠体上板部３３のドレン管挿通孔３３ｆを枠体上部ドレン管４６の挿通に使用する場合は、枠体３１に装着する外板に、下流側ドレン管４５ｃを通すための下流側ドレン管挿通孔が開口形成されたもの（ドレン管挿通孔形成外板）を用いる。そして、枠体上部ドレン管４６の下端部に接続した下流側ドレン管４５ｃを下流側ドレン管挿通孔に通したドレン管挿通孔形成外板を枠体３１に装着して、下流側ドレン管４５ｃをドレン管挿通孔形成外板の枠体３１側とは反対の外面側に延出させる。
ダクト用ユニットは、ドレン管挿通孔形成外板を１以上用いた構成を採用できる。下流側ドレン管４５ｃを挿通しない空きの下流側ドレン管挿通孔はキャップの装着等によって気密に封止する。また、枠体は、上板部３３にドレン管挿通孔３３ｆが存在しない構成も採用可能である。
【０１００】
次に、屋外ダクト１０の施工方法について説明する。
ここでは、一例として、図３等に例示した屋外ダクト１０を施工する施工方法を説明する。
【０１０１】
ここで説明する屋外ダクト１０の施工方法は、建物２０躯体の施工完了後かつベランダ床２１ａへの防水層の形成前に、まず、枠体３１をベランダ側外壁２２の壁用パネル２２ｃに取り付ける枠体取付工程と、換気ダクト接続工程（後述）と、設備用条体挿通工程（後述）とを行なう。
枠体取付工程（枠体取付作業）、換気ダクト接続工程（換気ダクト接続作業）、及び設備用条体挿通工程（設備用条体挿通作業）は、具体的には、建物２０躯体及びベランダ２１の施工完了後かつベランダ天井２９の構築及びベランダ床２１ａへの防水層形成の前に行なう。
【０１０２】
図３等に示すように、枠体取付工程では、ダクト用ユニット３０の枠体３１をベランダ側外壁２２の外壁脇壁部２２ａに位置する壁用パネル２２ｃに取り付けて、ベランダ床２１ａから上方へ離隔させて配置する。枠体取付工程は、外壁脇壁部２２ａの壁用パネル２２ｃ外面側及び柱２３のパネル２３ｄ外面側に塗材層２３ｅ、２３ｆ（図４（ａ）参照）及び仕上げ材層２２ｅ、２３ｆを形成（壁・柱仕上げ工程（壁・柱仕上げ作業））した後、枠体３１を外壁脇壁部２２ａ（具体的には壁用パネル２２ｃ）に固定する。
【０１０３】
この実施形態では、具体的には、枠体３１の長板状固定用部材３６をビス等のピン状固定具３１ａ（図６参照）を用いて外壁脇壁部２２ａに位置する壁用パネル２２ｃに固定して、枠体３１を外壁脇壁部２２ａに取り付ける。
なお、枠体取付工程では、外板３２を取り付けていない枠体３１を用いる。また、枠体取付工程では、枠体上板部３３及び枠体下板部３４の条体挿通孔３３ｅ、３４ｅや枠体上板部３３のドレン管挿通孔３３ｆにドレン管を通していない構成の枠体３１を用いる。
【０１０４】
図２、図８に示すように、枠体３１は、その上板部３３が、後の工程にて施工されるベランダ天井２９の開口部２９ａ内に配置されるように高さ調整して外壁脇壁部２２ａの壁用パネル２２ｃに固定する。
なお、枠体３１の上下方向（棒状材３５長手方向に一致）寸法は、ベランダ天井２９とベランダ床２１ａとの間の上下方向の離隔距離に比べて小さい。このため、枠体３１は、その上板部３３が、後の工程にて施工されるベランダ天井２９の開口部２９ａ内に配置されるように高さ調整してベランダ側外壁２２に取り付けることで、ベランダ床２１ａから上方へ離隔させて配置される。
【０１０５】
換気ダクト接続工程は、図１、図２等に示すように、ベランダ側外壁２２に設けられた換気ダクト用スリーブ２２ｇからベランダ２１側（ベランダ側外壁２２外面側）へ延出された換気ダクト４１の先端部を、枠体３１の換気ダクト接続筒３３ｃに接続する工程である。換気ダクト接続工程では、換気ダクト４１の先端部を枠体３１の換気ダクト接続筒３３ｃに接続し、換気ダクト４１（具体的にはその内側空間）を換気ダクト接続筒３３ｃ内側空間を介して枠体内側スペース３１ｃに連通させる。
【０１０６】
設備用条体挿通工程では、条体ユニット４２（設備用条体）を枠体上板部３３の条体挿通孔３３ｅ及び建物２０のベランダ側外壁２２の条体挿通スリーブ２２ｈに挿通する。
設備用条体挿通工程の具体的一例は、例えば、枠体取付工程の完了後に、条体ユニット４２を枠体上板部３３の条体挿通孔３３ｅに枠体内側スペース３１ｃ側から挿通して枠体３１上へ向かって送り出し、条体ユニット４２の条体挿通孔３３ｅから枠体３１外側へ延出された部分を条体挿通スリーブ２２ｈへベランダ２１側から送り込んで通す。
なお、設備用条体挿通工程の開始は、枠体取付工程の完了前、完了後のいずれでも良い。
【０１０７】
条体ユニット４２は、ベランダ床２１ａへの防水層を含む仕上げ材層の施工完了後の条体引き出し工程（後述）にて、枠体下板部３４の条体挿通孔３４ｅから枠体３１下方へ引き出す。設備用条体挿通工程では、条体ユニット４２の条体引き出し工程にて枠体下板部３４の条体挿通孔３４ｅから枠体３１下方へ引き出す引き出し長部分を湾曲させて枠体３１内側（枠体内側スペース３１ｃ内）に収納した状態とする。条体ユニット４２の条体引き出し工程にて枠体下板部３４の条体挿通孔３４ｅから枠体３１下方へ引き出す引き出し長部分は、例えばリング状に巻き上げる等によって湾曲させて枠体内側スペース３１ｃに収納する。
【０１０８】
また、この屋外ダクトの施工方法では、枠体取付工程の完了後、ベランダ天井２９を構築するベランダ天井施工工程の前に、枠体上板部３３の条体挿通孔３３ｅに枠体上部ドレン管４６を通し、屋内機排水管路のうち少なくとも屋内機ドレン管４５ａの空調屋内機側の端（上流端）から枠体上部ドレン管４６下端（下流端）までの部分を組み立てる。
但し、下流側ドレン管４５ｃの施工（下流側ドレン管４５ｃの枠体上部ドレン管４６下端部への接続、ベランダドレンあるいは排水溝までの引き回し）は、ベランダ床２１ａへの防水層形成を含むベランダ床仕上げ工程（後述）の完了後に行なう。
【０１０９】
なお、枠体下板部３４への網付き枠３７（図３等参照）の取り付けは、設備用条体挿通工程の完了前、完了後のいずれであっても良い。
枠体下板部３４に取り付けた網付き枠３７は、リング状に巻き上げる等によって湾曲させて枠体内側スペース３１ｃに収納した条体ユニット４２の枠体下板部３４の通気口３１ｃから下方へ脱落を防ぐ。枠体３１は、枠体下板部３４に網付き枠３７を取り付けるだけで、枠体内側スペース３１ｃ内の条体ユニット４２の通気口３１ｃから下方への脱落を簡単に防ぐことができる。枠体下板部３４に網付き枠３７を取り付けた後に、枠体内側スペース３１ｃに湾曲させた条体ユニット４２を収納すれば、別途、枠体下板部３４の通気口３１ｃから下方への条体ユニット４２の脱落防止のための手段を講じる必要が無い。
【０１１０】
リング状に巻き上げる等によって湾曲させて枠体内側スペース３１ｃに収納した条体ユニット４２は、例えば引留め具３６ｇ（紐状引留め材等）を用いて枠体３１に取り付けて、枠体下板部３４の通気口３１ｃから下方への脱落を防ぐことも可能である。湾曲させて枠体内側スペース３１ｃに収納した条体ユニット４２は、例えば、複数の引留め具３６ｇを用いて長板状固定用部材３６に取り付ける。引留め具３６ｇは、湾曲させて枠体内側スペース３１ｃに収納した条体ユニット４２の枠体下板部３４の通気口３１ｃからの脱落を防ぐ脱落防止具としても機能させることができる。
【０１１１】
湾曲させて枠体内側スペース３１ｃに収納した条体ユニット４２の枠体下板部３４の通気口３１ｃからの脱落を防ぐ脱落防止具は引留め具３６ｇに限定されない。脱落防止具は、例えば、湾曲させて枠体内側スペース３１ｃに収納した条体ユニット４２を枠体３１の棒状材３５に結束するインシュロックタイ等の紐状部材であっても良い。また、脱落防止具は、通気口３１ｃを跨いで枠体下板部３４上に取り出し可能に配置されることで、湾曲させて枠体内側スペース３１ｃに収納した条体ユニット４２の通気口３１ｃからの脱落を防ぐ部材（通気口上架設部材）であっても良い。
【０１１２】
脱落防止具を用いれば、枠体下板部３４に網付き枠３７を取り付けていない状態であっても、湾曲させて枠体内側スペース３１ｃに収納した条体ユニット４２の枠体下板部３４の通気口３１ｃからの脱落を防ぐことができる。脱落防止具を用いて、湾曲させて枠体内側スペース３１ｃに収納した条体ユニット４２の枠体下板部３４の通気口３１ｃからの脱落を防げば、枠体下板部３４への網付き枠３７の取り付けはベランダ床仕上げ工程（後述）の完了後であってもよい。
【０１１３】
枠体取付工程、換気ダクト接続工程、及び設備用条体挿通工程が完了したら、ベランダ天井施工工程（ベランダ天井施工作業）と、ベランダ床２１ａを仕上げる（仕上げ材層を形成する）ベランダ床仕上げ工程とを行なう。
【０１１４】
ベランダ床仕上げ工程は、ベランダ床２１ａ上に防水層を含む仕上げ材層を形成する。
ベランダ床仕上げ工程にて形成する仕上げ材層は、防水層の他に、例えば、防水層表面を覆う保護被覆層を含んでいても良い。
【０１１５】
ベランダ天井施工工程は、ベランダ天井２９を施工する。その結果、条体ユニット４２、屋内機排水管路のそれぞれにおけるベランダ側外壁２２の条体挿通用スリーブ２２ｇから枠体上板部３３までの延在部分と、換気ダクト４１Ａ、４１Ｂのベランダ側外壁２２外面側に位置する部分とをベランダ天井裏空間２９ｂ内に収納した状態とする。
また、ベランダ天井施工工程の前には、条体ユニット４２における枠体上板部３３とベランダ側外壁２２との間に位置する部分のダクト収納、建物２０（例えば上階ベランダ床２８ａ）に支持部材を用いて支持したガラリ２９ｃ（図１参照）への換気ダクト４１Ｂ先端部の接続といった工事を完了しておく。ベランダ天井施工工程はこれら工事の完了後に行なう。
【０１１６】
ベランダ天井２９は、枠体上板部３３を収納する開口部２９ａを確保して構築し、開口部２９ａ内に枠体上板部３３を収納した状態とする。
また、ベランダ天井２９は、換気ダクト４１を接続したガラリ２９ｃを取り囲むように構築する。
【０１１７】
ベランダ床仕上げ工程（ベランダ床仕上げ作業）は、ベランダ天井施工工程の完了後に行なうことが好ましい。ベランダ床仕上げ工程をベランダ天井施工工程の完了後に行なう構成であれば、ベランダ天井施工工程での部材落下や足場設置等によってベランダ床２１ａ上の仕上げ材層を傷つける心配が無い。
【０１１８】
ベランダ床仕上げ工程が完了したら、後述する条体引き出し工程（条体引き出し作業）と、条体引き出し後外板取付工程（条体引き出し後外板取付作業）とを行なう。
条体引き出し工程では、枠体内側スペース３１ｃに湾曲収納された条体ユニット４２を枠体内側スペース３１ｃから枠体下板部３４の条体挿通孔３４ｅに通し、条体挿通孔３４ｅから下方へ引き出して枠体３１から外側へ延出させる。
【０１１９】
条体引き出し工程の完了後、条体ユニット４２は、条体引き出し工程にて枠体下板部３４の条体挿通孔３４ｅから枠体３１外側へ引き出された引き出し長部分の先端に露出させた冷媒管（液管４３ａ及びガス管４３ｂ）と電気ケーブル４４先端とをベランダ床２１ａ上に設置した空調屋外機４７に接続する。
したがって、設備用条体挿通工程では、枠体内側スペース３１ｃに収納する条体ユニット４２に、ベランダ床２１ａ上における空調屋外機４７の設置位置を考慮して、空調屋外機４７に接続可能な長さの引き出し長部分を確保する。
【０１２０】
また、条体引き出し工程にて枠体下板部３４の条体挿通孔３４ｅから枠体３１外側へ引き出された条体ユニット４２の引き出し長部分には、条体引き出し工程の完了後にラッキングを施す（図８のラッキング層４２ａを形成する）。
【０１２１】
条体引き出し工程の完了時には、図８に示すように、条体ユニット４２に、枠体内側スペース３１ｃに枠体３１上下方向に延在する枠体内延在部４２ｂが形成されている。また、条体引き出し工程の完了時には、条体ユニット４２の枠体内延在部４２ｂを枠体３１の各条体取付部３６ｄに引留め具３６ｇを用いて引き留めた状態とする。
【０１２２】
図３、図８等に示す枠体３１の各条体取付部３６ｄ（図３、図８等参照）への枠体内延在部４２ｂの引留め具３６ｇによる引き留めは条体引き出し工程の完了後に行なう。
但し、枠体３１の各条体取付部３６ｄ（図３、図８等参照）への条体ユニット４２の枠体内延在部４２ｂの引留め具３６ｇによる引き留めは、条体引き出し工程の前、例えば設備用条体挿通工程に行なうことも可能である。
【０１２３】
条体引き出し工程は、その開始時に枠体下板部３４に網付き枠３７が取り付けられていなければ、枠体下板部３４に網付き枠３７が取り付けられていない状態のまま行なう。条体引き出し工程は、枠体下板部３４に網付き枠３７が取り付けられていない状態であれば、枠体下板部３４の通気口３１ｃを介して枠体内側スペース３１ｃから下板部３４下側へ作業者が手を入れたり、逆に下板部３４下側から枠体内側スペース３１ｃへ作業者が手を入れることを自在に行える。このため、枠体内側スペース３１ｃに湾曲収納された条体ユニット４２を枠体下板部３４の条体挿通孔３４ｅから枠体３１外側へ送り出す作業を効率良く行える。
なお、条体引き出し工程は、その開始前に、枠体下板部３４に網付き枠３７が取り付けられていれば、枠体下板部３４に網付き枠３７が取り付けられた状態のまま行なうか、枠体下板部３４から網付き枠３７を一旦取り外して行なう。
【０１２４】
枠体上部ドレン４６ａ（図８参照）の下端部への下流側ドレン管４５ｃの接続は、枠体取付工程の完了後、条体引き出し後外板取付工程の前に行なう。
【０１２５】
条体引き出し後外板取付工程は、条体引き出し工程の完了後に、枠体３１に外板３２を取り付けてダクト用ユニット３０を組み立て状態とし、屋外ダクト１０を完成させる工程（作業）である。
条体引き出し工程完了時に枠体下板部３４に網付き枠３７が取り付けられていない状態であれば、条体引き出し工程の完了後に、枠体下板部３４に網付き枠３７を取り付けてダクト用ユニット３０を組み立て状態とする。
ダクト用ユニット３０を組み立てることで屋外ダクト１０の組み立て（施工）が完了する。
【０１２６】
屋外ダクトの施工方法は、枠体上板部３３の条体挿通孔３３ｅに枠体上部ドレン管４６を通した枠体（以下、上部ドレン管付き枠体、とも言う）を用いて枠体取付工程を行なっても良い。この場合、枠体上部ドレン管４６は、その枠体上板部３３から上側に位置する部分の側周に条体挿通孔３４ｅに入り込み不可能なサイズの落下防止部が突設されたものを好適に用いることができる。落下防止部は枠体上板部３３（図８等では具体的には条体挿通筒３３ｄ）にその上方から当接することで枠体上板部３３から下方への枠体上部ドレン管４６の落下を規制する。落下防止部は、例えば、枠体上部ドレン管４６とは別の部材を枠体上部ドレン管４６側周に固定したものであるが、枠体上部ドレン管４６に一体に形成された突部であっても良い。
なお、図８では、屋内機排水管路のうち枠体内側スペース内に位置する部分を構成する部分（ドレン管４６、４５ｃ）を、紐状引留め材３６ｇを用いて長板状固定用部材３６に引き留めている。屋内機排水管路のうち枠体内側スペース内に位置する部分を構成する部分（ドレン管）を、紐状引留め材３６ｇを用いて長板状固定用部材３６に引き留めることは、ドレン管の枠体３１に対する位置ずれ防止等の点で好適である。
【０１２７】
屋外ダクト１０及びその施工方法は、ベランダ側外壁２２（具体的には図３の壁用パネル２２ｃ）に枠体３１を取り付けることで、ベランダ床２１ａへの仕上げ材層の形成前に、枠体３１の換気ダクト接続筒３３ｃへの換気ダクト４１の接続、及び枠体上板部３３の条体挿通孔３３ｅへの条体ユニット４２の挿入を行える。このため、ベランダ床２１ａへの仕上げ材層の形成後のベランダ２１内での設備工事の集中を緩和でき、ベランダ床２１ａへの仕上げ材層の形成後のベランダ２１内での設備工事の作業効率を向上できる。
なお、ダクト用ユニット３０は、ベランダ床２１ａから上方に離隔させて設けられるため、ベランダ床２１ａへの仕上げ材層の形成作業を妨げない。
【０１２８】
屋外ダクト１０は、換気ダクト４１を延長する延長換気ダクトとして機能する。
図２に示すように、屋外ダクト１０が形成するダクト内側空間１１は、ダクト用ユニット３０に接続（具体的には、枠体３１の換気ダクト接続筒に接続）された換気ダクト４１内側空間と連通している。屋外ダクト１０の枠体下板部３４の通気口３４ｃは、ダクト用ユニット３に接続された給気ダクト４１Ａに連通する吸気口として機能する。
図１に示すように、屋外ダクト１０は、水平方向において、ベランダ天井２９に設けられたガラリ２９ｃ（排気ダクト出口）から離隔した位置に設けられている。また、図２に示すように、屋外ダクト１０の枠体下板部３４の通気口３４ｃは、上下方向において、建物２０のベランダ天井２９から下方に離隔した所に位置する。屋外ダクト１０の枠体下板部３４の通気口３４ｃは、水平方向のみならず、上下方向においても、ベランダ天井２９に設けられたガラリ２９ｃから離隔した所に位置する。
【０１２９】
ベランダ天井に排気ダクト出口と給気ダクト入口とを設ける構成（以下、ベランダ天井給排気集中構造、とも言う）における排気ダクト出口と給気ダクト入口との間の離隔距離は、ベランダ天井に沿う方向における排気ダクト出口及び給気ダクト入口の設置位置の違いによって確保する。これに対して、屋外ダクト１０は、水平方向において、ベランダ天井２９に設けられたガラリ２９ｃ（排気ダクト出口）から離隔した位置に組み立てることで、水平方向のみならず上下方向にも、枠体下板部３４の通気口３４ｃのベランダ天井２９のガラリ２９ｃからの離隔距離を確保できる。このため、屋外ダクト１０は、枠体下板部３４の通気口３４ｃとベランダ天井２９のガラリ２９ｃとの間に、ベランダ天井給排気集中構造における排気ダクト出口と給気ダクト入口との間に比べて大きい離隔距離を確保することが可能である。
【０１３０】
ベランダ天井給排気集中構造における排気ダクト出口と給気ダクト入口との間の離隔距離は、ベランダ天井２９の平面サイズの制約を受ける。このため、ベランダ天井２９の平面サイズが小さければ、排気ダクト出口と給気ダクト入口との間の離隔距離のみによって、排気ダクト出口からの排気が給気ダクトに流入する現象（ショートサーキット現象）を防ぐことが困難なケースが生じ得る。
これに対して、屋外ダクト１０は、ベランダ天井２９から下方へ離隔した位置に枠体下板部３４の通気口３４ｃを有する構成である。このため、枠体下板部３４の通気口３４ｃは、ベランダ天井２９のガラリ２９ｃに対して上下方向の離隔距離を確実に確保できる。屋外ダクト１０は、ベランダ天井給排気集中構造に比べて、枠体下板部３４の通気口３４ｃとベランダ天井２９のガラリ２９ｃとの間の離隔距離の確保に有利である。屋外ダクト１０は、枠体下板部３４の通気口３４ｃとベランダ天井２９のガラリ２９ｃとの間に、ショートサーキット現象の防止に有効なレベルの離隔距離を確保することを容易にする。
【０１３１】
ところで、図１に示すように、上述の実施形態では、屋外ダクト１０（具体的には、枠体３１の換気ダクト接続筒３３ｃ）に給気ダクト４１Ａを接続し、ベランダ天井２９に排気ダクト４１Ｂが接続されたガラリ２９ｃを設ける構成を例示した。
但し、屋外ダクト１０は上述の実施形態に限定されず、枠体３１の換気ダクト接続筒３３ｃに排気ダクト４１Ｂが接続された構成としても良い。屋外ダクト１０（具体的には、枠体３１の換気ダクト接続筒３３ｃ）に排気ダクト４１Ｂが接続されている場合は、枠体下板部３４の通気口３４ｃは、ダクト内側空間１１を介して排気ダクト４１Ｂと連通する排気口として機能する。
【０１３２】
ベランダ側外壁２２からその外面側（ベランダ側）へ引き出された排気ダクト４１Ｂを屋外ダクト１０に接続した場合は、例えば、図１において給気ダクト４１Ａを排気ダクト４１Ｂに、排気ダクト４１Ｂを給気ダクト４１Ａに変更した構成を採用できる。この場合、ベランダ側外壁２２からその外面側（ベランダ側）へ引き出された給気ダクト４１Ａの先端部をベランダ天井２９のガラリ２９ｃに接続する。
屋外ダクト１０（具体的には枠体３１の換気ダクト接続筒３３ｃ）及びベランダ天井２９のガラリ２９ｃの一方に給気ダクト４１Ａを接続し、他方に排気ダクト４１Ｂを接続する構成であれば、枠体下板部３４の通気口３４ｃとベランダ天井２９のガラリ２９ｃとの間の離隔距離によって、吸気口と排気ダクト出口との間の離隔距離の確保、排気口と給気ダクト入口との間の離隔距離の確保、のいずれも容易に行える。
【０１３３】
屋外ダクト１０は、換気ダクト４１先端に接続される延長換気ダクトと、条体ユニット４２やドレン管を衝突物の衝突等から保護する保護ダクトとを兼ねる。このため、屋外ダクト１０は、例えば、仮に、条体ユニット４２を収納してベランダ側外壁２２外面に取り付ける外壁ダクトと、換気ダクト先端に接続する延長換気ダクトとを、ベランダ天井２９下の互いに離隔した位置に施工する場合に比べて施工が容易であり、工期短縮も容易である。しかも、屋外ダクト１０は、外壁ダクトと延長換気ダクトとを別々に施工する場合に比べて、ベランダ２１における設置スペースを小さく抑えることができ、住戸ＪＡ居住者のベランダ２１使用可能有効スペースを広くすることができる。
【０１３４】
図３、図４（ａ）等に示す実施形態のダクト用ユニット３０は、条体挿通孔３３ｅが複数形成された枠体上板部３３及び枠体下板部３４を有し、条体ユニット４２を複数本通すことが可能である。このダクト用ユニット３０をベランダ内周形成部（図３、図４（ａ）ではベランダ側外壁２２及び柱張出部２３ｂ）の入り隅部に組み立てた屋外ダクト１０は、複数本の条体ユニット４２をベランダ２１の限られたスペースにコンパクトに収納でき、住戸ＪＡ居住者のベランダ使用可能有効スペースを広くすることに有効に寄与する。
また、屋外ダクト１０に複数本の条体ユニット４２を通すことは、条体ユニット４２を収納してベランダ側外壁２２に取り付けられる外壁ダクトを複数本の条体ユニット４２毎に施工することに比べて工事の手間を軽減できるという利点もある。
【０１３５】
図４（ａ）等に示す実施形態の屋外ダクト１０は、ベランダ内周形成部（図３、図４（ａ）ではベランダ側外壁２２及び柱張出部２３ｂ）のダクト用ユニット３０に臨む部分を利用してダクト内側空間１１を形成する構成である。このため、屋外ダクト１０は、例えば、枠体３１にその建物対向側を覆う板部材（以下、建物側塞ぎ板、とも言う）を取り付けた構成のダクト用ユニットを用いる場合に比べて、ベランダ内周形成部からベランダ内側空間２１ｃへの突出寸法を小さく抑えることができ、住戸ＪＡ居住者のベランダ使用可能有効スペースを広くすることに有利である。
【０１３６】
また、建物側塞ぎ板を取り付けていない枠体３１を用いるダクト用ユニット３０及び屋外ダクト１０は、建物側塞ぎ板を使用しない分、建物側塞ぎ板を用いる構成に比べて低コスト化、軽量化の点で有利である。また、建物側塞ぎ板が無い構成であれば、枠体３１（図３等では長板状固定用部材３６）をベランダ内周形成部にピン状固定具３１ａを用いて固定して取り付ける作業において、枠体３１前面側からベランダ内周形成部（図３等ではベランダ側外壁２２）を目視確認することが可能になる。このため、枠体３１をベランダ内周形成部にピン状固定具３１ａを用いて固定して取り付ける作業の作業性を向上できる。
なお、ダクト用ユニットの枠体は、建物対向側にパッキンにかえて建物側塞ぎ板が取り付けられた構成（塞ぎ板付き枠体。一例として図１３参照）も採用可能である。塞ぎ板付き枠体は、建物側塞ぎ板が取り付けられた状態のままベランダ内周形成部に取り付け施工する。
【０１３７】
図８等に示すように、条体ユニット４２の枠体内延在部４２ｂは、屋外ダクト１０に保護されているため、ラッキング層４２ａを設ける（ラッキングを施す）必要が無い。条体ユニット枠体内延在部４２ｂにラッキングを施さない（ラッキング層４２ａを設けない）ことは、条体ユニット４２のラッキングの手間の軽減、工期短縮、低コスト化に有効に寄与する。
【０１３８】
本発明は上述の最良の形態に限定されるものではなく、本発明の要旨を逸脱しない範囲で種々の改変が可能である。
屋外ダクトの枠体を固定するベランダ内周形成部は、ベランダ側外壁に限定されず、建物の柱等であっても良い。また、屋外ダクトの枠体を固定するベランダ内周形成部は、枠体をビス固定するＡＬＣ板等のパネルを内蔵する構成のもの、コンクリート造建物の躯体の、のいずれでも採用可能である。
【０１３９】
屋外ダクトを施工するベランダ内周形成部の入り隅部は、図１に例示したベランダ側外壁２２と柱２３とが形成する入り隅部に限定されない。屋外ダクトを施工するベランダ内周形成部の入り隅部は、例えば、図１１に示すようにベランダ側外壁２２とベランダ側外壁２２からその外面側に張り出された張出壁５１との間の入り隅部であっても良い。屋外ダクトを施工するベランダ内周形成部の入り隅部は、図１２に示すように、張出壁５１と、ベランダ側外壁２２から離隔してベランダ手摺壁２１ｂ側に設けられた柱５２との間の入り隅部であっても良い。また、屋外ダクトを施工するベランダ内周形成部の入り隅部は、張出壁の平面視Ｌ字形に形成された部分の内角側の入り隅部なども採用可能である。
【０１４０】
図１１、図１２では、枠体と外板３２との関係を示すべく、外板押さえ板３２ｄの図示を省略している。なお、後述の図１３、図１４（ａ）、（ｂ）も枠体と外板３２との関係を示すべく、外板押さえ板３２ｄの図示を省略している。
屋外ダクト１０のダクト用ユニット３１は、枠体３１前面側と前面視左側とを覆うＬ字板状の外板３２（図３中、符号３２Ａを付記する）、及び枠体３１前面側と前面視右側とを覆うＬ字板状の外板３２（図１２中、符号３２Ｂを付記する）を選択的に使用可能である。外板３２Ａ、３２Ｂは、枠体３１の左右方向片側のみをベランダ内周形成部に近接配置する場合に、枠体３１の左右方向建物側とは反対の側を覆うことが出来るものを選択使用する。
【０１４１】
以下、入り隅部を構成するベランダ内周形成部の２面のうち、枠体３１の背側が近接配置される面を入り隅部第１面、入り隅部第１面に垂直で枠体３１の左右方向片側の左右方向建物側の側部が対向配置される面を入り隅部第２面とも言う。また、以下、入り隅部第１面を形成するベランダ内周形成部を入り隅部第１面形成部、入り隅部第２面を形成するベランダ内周形成部を入り隅部第２面形成部とも言う。枠体３１は、入り隅部第１面形成部に取り付けられる。入り隅部第１面は換言すれば入り隅部第１面形成部のベランダ内側空間側の面を指す。
【０１４２】
例えば、図４（ａ）における外壁脇壁部２２ａの外面（ベランダ側の面）は入り隅部第１面、入り隅側柱側面２３ａは入り隅部第２面である。外壁脇壁部２２ａは入り隅部第１面形成部、柱張出部２３ｂは入り隅部第２面形成部である。また、枠体３１の左右両側のうち、左右方向建物側は入り隅部第２面に配置される側を指す。枠体３１の左右方向建物側とは反対の側はベランダ空間側である。
【０１４３】
図４（ａ）では、入り隅部第２面の入り隅部第１面からの延出寸法が枠体３１前後方向寸法よりも大きく、入り隅部第２面に、枠体３１の左右方向建物側の全体を対向配置可能なサイズが確保されている。
図１３は、入り隅部第２面５３２の入り隅部第１面５３１からの延出寸法が枠体３１前後方向寸法に比べて小さい場合を示す。
図１３に示す屋外ダクト１０Ａは、枠体３１と、枠体３１に取り付けられた建物側塞ぎ板３８と、枠体３１に脱着可能な外板３２Ａと、網付き枠３７（図示略）とを有するダクト用ユニット３０Ａをベランダ内周形成部の入り隅部に組み立てたものである。
図１３に示す屋外ダクト１０Ａのダクト用ユニット３０Ａの建物側塞ぎ板３８は、枠体３１の背側及び左右方向建物側を覆うＬ字板状に形成されている。
図１３に示す屋外ダクト１０Ａには、建物側塞ぎ板３８と、外板３２Ａとによって取り囲まれた内側のダクト内側空間１１Ａが確保されている。
【０１４４】
図１３に示す屋外ダクト１０Ａの組み立て（屋外ダクトの施工方法）において、枠体３１は、建物側塞ぎ板３８を取り付けた塞ぎ板付き枠体の状態でベランダ内周形成部に取り付ける。図１３に示す屋外ダクト１０Ａは、塞ぎ板付き枠体の枠体３１をベランダ内周形成部に取り付けること以外は、図１〜図８等に例示した屋外ダクト１０と同様の施工方法によって組み立てる（施工する）ことができる。
【０１４５】
屋外ダクトは、ベランダ内周形成部の入り隅部を利用して組み立てた構成に限定されない。屋外ダクトは、例えば図１４（ａ）、（ｂ）に示すように、ベランダ内周形成部に組み立てたダクト用ユニットの近傍に、枠体を取り付けたベランダ内周形成部以外のベランダ内周形成部が存在しない構成も採用可能である。
この屋外ダクトのダクト用ユニットの枠体には左右方向建物側の側周は存在しない。この屋外ダクトのダクト用ユニットの枠体の左右両側（前面視左右両側）は、いずれも左右方向ベランダ空間側である。
【０１４６】
図１４（ａ）に示す屋外ダクト１０Ｂは、図１３に例示した構造のダクト用ユニット３０Ａを、ベランダ内周形成部（図１４ではベランダ側外壁２２）に組み立てたものである。但し、ベランダ内周形成部に組み立てたダクト用ユニット３０Ｂの近傍には、枠体３１を取り付けたベランダ内周形成部以外のベランダ内周形成部は存在しない。図１４（ａ）に示す屋外ダクト１０Ｂは、いわば、図１３に例示した屋外ダクト１０Ａから入り隅部第２面形成部を省略した構成である。
【０１４７】
図１４（ｂ）に示す屋外ダクト１０Ｃは、図１４（ａ）に例示した屋外ダクト１０Ｂについて、Ｌ字板状の建物側塞ぎ板３８にかえて、枠体３１の前面視左右方向片側（図１４（ｂ）では前面視右側）の側周のみを覆う平板状の外板３２３（側部外板）を採用したダクト用ユニット３０Ｃをベランダ内周形成部に組み立てたものである。図１４（ｂ）に示す屋外ダクト１０Ｃには建物側塞ぎ板は存在しない。
【０１４８】
図１３、図１４（ａ）に例示した屋外ダクト１０Ａ、１０Ｂのダクト用ユニット３０Ａ、３０Ｂは、枠体３１の前面側及び前面視左側を覆うＬ字板状の外板３２Ａと、枠体３１の背側及び前面視右側を覆うＬ字板状の建物側塞ぎ板３８と、を有している。但し、ダクト用ユニットは、これに限定されず、例えば、図１２に例示したＬ字板状の外板３２Ｂと、枠体３１の背側及び前面視左側を覆うＬ字板状の建物側塞ぎ板とを有する構成も採用可能である。
【０１４９】
ダクト用ユニットは、枠体の上板部と下板部との間における側周のうち建物対向側以外を覆う１又は複数の外板を有し、枠体に脱着可能に取り付けられる外板（以下、脱着外板、とも言う）を１以上含む構成であれば良い。ダクト用ユニットは、脱着外板を含む１又は複数の外板を有する。脱着外板は、屋外ダクト内側のメンテナンス等の作業性確保の点で、枠体に取り付けられて枠体前面側を覆う外板は脱着外板であることが好ましい。枠体に対する脱着によって枠体前面側を開閉する脱着外板を、以下、前面側脱着外板、とも言う。
【０１５０】
図４（ａ）、図１３、図１４（ａ）、（ｂ）に例示したＬ字板状の外板３２は前面側脱着外板である。但し、ダクト用ユニットは、Ｌ字板状の前面側脱着外板を用いる構成に限定されない。ダクト用ユニットは、例えば、平板状の前面側脱着外板と、枠体３１の前面視左右両側の側周のうち建物対向側（左右方向建物側）以外を覆う平板状の側部外板とを有する構成を採用できる。図１４（ａ）、（ｂ）に例示したように、屋外ダクトの近傍に、枠体３１を取り付けるベランダ内周形成部以外のベランダ内周形成部が存在しない場合は、枠体３１の前面視左右両側の側周のそれぞれに側部外板を設ける。
なお、枠体３１前面側を覆う外板は、前面側脱着外板に限定されず、前面側脱着外板以外に枠体３１に固定される外板が含まれていても良い。前面側脱着外板以外の外板は、枠体に対して脱着可能である必要はない。前面側脱着外板以外の外板は、枠体に固定されていても良い。側部外板は脱着外板であっても良い。
【０１５１】
脱着外板の具体的構成は、例えば図３に例示した突片３２ｃを有する構成を挙げることができる。但し、脱着外板は、図３に例示した突片３２ｃ付きの構成に限定されない。脱着外板の具体的構成は、例えばその上下両端部を枠体３１に直接ねじ止め可能で、図３に例示した突片３２ｃを省略した構成も採用可能である。また、脱着外板は、枠体に臨む内面側に突設された係合突起を、枠体に突設した係止片あるいは枠体に形成された係合凹部にその上側から係脱可能に係合させることで枠体に脱着可能に取り付けられる構成も採用可能である。
【０１５２】
建物側塞ぎ板は、図１３、図１４（ａ）に例示したＬ字板状のものに限定されない。建物側塞ぎ板は、例えば平板状に形成されて、枠体３１の背側あるいは左右方向建物側に取り付けられるものであっても良い。
ダクト用ユニットは、例えば、図１３、図１４（ａ）に例示した屋外ダクトのダクト用ユニットについて、Ｌ字板状の建物側塞ぎ板３８にかえて、枠体３１の背側及び左右方向建物側のそれぞれに平板状の建物側塞ぎ板を取り付けた構成も採用可能である。また、ダクト用ユニットは、図１３に例示した屋外ダクトのダクト用ユニットについて、Ｌ字板状の建物側塞ぎ板３８にかえて、枠体３１の左右方向建物側のみに平板状の建物側塞ぎ板を取り付けた構成も採用可能である。また、ダクト用ユニットは、図２、図１２に例示した屋外ダクト１０のダクト用ユニット３０について、枠体３１の背側及び左右方向建物側の一方のみに平板状の建物側塞ぎ板を取り付けた構成も採用可能である。また、ダクト用ユニットは、図１４（ｂ）に例示した屋外ダクト１０Ｃのダクト用ユニット３０Ｃについて、枠体３１の背側のみに平板状の建物側塞ぎ板を取り付けた構成も採用可能である。
枠体の建物対向側に建物側塞ぎ板が取り付けられた構成の屋外ダクトは、塞ぎ板付き枠体の枠体をベランダ内周形成部に取り付けて組み立てる。
【０１５３】
ダクト内側空間のベランダ内周形成部側からのエア漏れや、ベランダ内周形成部側からダクト内側空間へのエア吸引は、ダクト内側空間及び換気ダクトを介した給気または排気による住戸内部空間の換気効率の低下の原因となる。
枠体の建物対向側には、ダクト内側空間のベランダ内周形成部側からのエア漏れあるいはベランダ内周形成部側からダクト内側空間へのエア吸引の防止のために、パッキンまたは建物側塞ぎ板が設けられる。但し、枠体の建物対向側にパッキンを取り付ける構成では、図１３に例示したように入り隅部第２面５３２が枠体の左右方向建物側の一部のみに対向する場合や、図１４（ａ）、（ｂ）に例示したように枠体左右両側にベランダ内周形成部が存在しない場合に、ダクト内側空間からベランダ内周形成部側へのエア漏れや、ベランダ内周形成部側からダクト内側空間へのエア吸引を防ぐことが出来ない。建物側塞ぎ板を用いる構成は、ベランダ内周形成部の形状に依らず、ダクト内側空間からベランダ内周形成部側へのエア漏れや、ベランダ内周形成部側からダクト内側空間へのエア吸引を確実に防ぐことができる。
【０１５４】
図１〜図１４（ａ）、（ｂ）を参照して上述した屋外ダクトは、ベランダ内周形成部に取り付けてベランダ天井２９（図２参照）の開口部２９ａ内に上端部を配置した枠体３１を有するものである。
但し、屋外ダクトは、ベランダ２１上方にベランダ天井が無いベランダ内周形成部に組み立てても良い。図１〜図１４（ａ）、（ｂ）を参照して説明した屋外ダクトは、いずれも、ベランダ２１上方にベランダ天井が無いベランダ内周形成部に組み立て可能である。
【０１５５】
ベランダ２１上方にベランダ天井が無い場合は、例えば、建物の住戸のベランダ側に開口される複数の換気ダクトのうち屋外ダクト（具体的には枠体上板部の換気ダクト接続口）に接続されるもの以外を、ベランダ側外壁上部に設けられたガラリに接続した構成を好適に採用できる。
屋外ダクトのダクト用ユニットは、枠体と上階ベランダ床との間に換気ダクト４１及び条体ユニット４２の引き回し用空間を確保するべく、上階ベランダ床２８ａ（図２参照）から下方に離隔させてベランダ内周形成部に組み立てる。ベランダ２１上方にベランダ天井が無い場合は、屋外ダクトのダクト用ユニットの枠体は、上下方向において枠体上板部がベランダ側外壁のガラリと概ね同じ高さあるいはベランダ側外壁のガラリよりも下方に位置するようにしてベランダ内周形成部に固定する。その結果、枠体下板部の通気口はベランダ側外壁のガラリよりも下方に配置され、上下方向においてベランダ側外壁のガラリと枠体下板部の通気口との間の離隔距離が確保される。このため、水平方向においてベランダ側外壁のガラリと屋外ダクトとの間に離隔距離が確保されていれば、屋外ダクトの枠体下板部の通気口とベランダ側外壁のガラリとの間には水平方向のみならず上下方向にも離隔距離が確保される。
【０１５６】
ベランダ外壁上部に、給気ダクトを接続したガラリ（給気ダクト入口）と排気ダクトを接続したガラリ（排気ダクト出口）とを設けた構成（以下、外壁上部給排気集中構造、とも言う）の場合は、給気ダクト入口と排気ダクト出口との間の離隔距離は主に建物左右方向におけるガラリ間の離隔距離によって確保される。これに対して、ベランダ側外壁のガラリ及び屋外ダクトの一方に給気ダクト、他方に排気ダクトを接続した構成（以下、外壁上部−屋外ダクト給排気構造、とも言う）では、既述のように、屋外ダクトの枠体下板部の通気口とベランダ側外壁のガラリとの間に建物左右方向のみならず上下方向にも離隔距離が確保できる。このため、外壁上部−屋外ダクト給排気構造は、枠体下板部の通気口とベランダ側外壁のガラリとの間の離隔距離を、外壁上部給排気集中構造における給気ダクト入口と排気ダクト出口との間の離隔距離に比べて大きく確保することが容易である。枠体下板部の通気口とベランダ側外壁のガラリとの間の離隔距離を大きく確保できることは、給排気のショートサーキット現象の防止に有利である。
【０１５７】
ベランダ２１上方にベランダ天井が無いベランダ内周形成部に組み立てる屋外ダクトのダクト用ユニットは、枠体の左右片側あるいは両側のベランダ空間側に、その上端部を覆う上板部３９（以下、側部上板部、とも言う。例として図１５参照）を追加した構成の枠体を用いることも可能である。この枠体を、以下、側部上板部付き枠体とも言う。
【０１５８】
図１５に例示した屋外ダクト１０Ｄは、図１〜図１０を参照して説明した屋外ダクト１０について枠体３１にかえて側部上板部付き枠体３１Ａを採用したダクト用ユニット３０Ｄをベランダ内周形成部に組み立てたものである。
図１５に例示したダクト用ユニット３０Ｄの側部上板部付き枠体３１Ａは、図１〜図１０に例示した枠体３１の左右方向ベランダ空間側の上端部に側部上板部３９を追加した構成である。図１５に例示したダクト用ユニット３０Ｄは、側部上板部付き枠体３１Ａの建物対向側以外の側周の側部上板部３９を避けた領域を覆う１又は複数の外板を有する。ダクト用ユニット３０Ｄは、側部上板部３９と、外板と、入り隅部第１面形成部と、入り隅部第２面形成部とによって囲まれた内側のダクト内側空間を形成する。
【０１５９】
側部上板部３９は、枠体３１（具体的には枠体３１の棒状材３５）に取り付けられて枠体３１の左右方向ベランダ空間側の上端部を覆う平板状の主板部３９ａを有している。また、側部上板部３９は、主板部３９ａに設けられた換気ダクト接続筒３３ｃ及び条体挿通筒３３ｄも有する。側部上板部３９の換気ダクト接続筒３３ｃ及び条体挿通筒３３ｄは、上板部３３の換気ダクト接続筒３３ｃ及び条体挿通筒３３ｄと同様の構成を採用できる。換気ダクト接続筒３３ｃに接続した換気ダクト４１はダクト用ユニット３０Ｄのダクト内側空間と連通させることができる。条体ユニット４２は、側部上板部３９の条体挿通筒３３ｄ内側の条体挿通孔と枠体下板部３４の条体挿通筒３４ｄ内側の条体挿通孔とに挿通することで、ダクト用ユニット３０Ｄのダクト内側空間に引き通すことができる。
【０１６０】
なお、側部上板部３９において、換気ダクト接続筒３３ｃは、条体挿通筒３３ｄから枠体背側にずれた位置に設けられている。また、側部上板部３９及び枠体下板部３４は、条体挿通孔が確保されていれば良く、条体挿通筒が省略された構成も採用可能である。側部上板部３９は、換気ダクト接続口（換気ダクト接続筒３３ｃ）及び条体挿通孔が形成され、枠体３１の左右方向ベランダ空間側の上端部を覆う側板部である。
【０１６１】
図１５の屋外ダクト１０Ｄは、上板部３３だけでなく側部上板部３９にも換気ダクト接続口（換気ダクト接続筒３３ｃ）及び条体挿通孔を有している。このため、ベランダ側外壁２２の換気ダクト用スリーブ２２ｇ（図１参照）からベランダ側へ延出された換気ダクト４１は、換気ダクト用スリーブ２２ｇと屋外ダクト１０Ｄとの位置関係に応じて、上板部３３及び側部上板部３９の換気ダクト接続筒３３ｃのうち接続しやすい方を選択して接続することができる。また、条体ユニット４２は、上板部３３及び側部上板部３９の条体挿通孔（条体挿通筒３３ｄ内側の条体挿通孔）のうち、屋外ユニット１０Ｄから建物のベランダ側外壁２２の条体挿通用スリーブ２２ｈまでの引き回しを楽に行える方に選択的に挿通することができる。
【０１６２】
ダクト用ユニットの枠体の左右方向ベランダ空間側や前面側は、枠体上側に比べて広い作業スペースを確保しやすい。ダクト用ユニットの枠体は、側部上板部を有する構成の方が、上板部のみを有する構成に比べて、作業スペースの確保、作業性確保の点で有利である。
【０１６３】
図１５の屋外ダクト１０Ｄの側部上板部３９の換気ダクト接続筒３３ｃへの換気ダクト４１の接続は、上板部３３の換気ダクト接続筒３３ｃへの換気ダクト４１の接続に比べて作業性向上の点で有利である。
また、枠体の上板部３３及び側部上板部３９の条体挿通孔（条体挿通筒３３ｄ内側の条体挿通孔）への条体ユニット４２の挿通は、枠体外側での条体ユニット４２の引き回し（曲げを含む）、支持のための作業スペースを要する。図１５の屋外ダクト１０Ｄの側部上板部３９の条体挿通孔（条体挿通筒３３ｄ内側の条体挿通孔）への条体ユニット４２の挿通は、上板部３３の条体挿通筒３３ｄへの条体ユニット４２の挿通に比べて作業性向上の点で有利である。
【０１６４】
屋外ダクトのダクト用ユニットの枠体は、左右方向片側のベランダ空間側に側部上板部３９を設けた構成に限定されない。枠体は、その前面側上端部に側部上板部３９を設けた構成も採用可能である。また、左右方向両側がベランダ空間側である枠体（例えば図１４（ａ）、（ｂ）参照）については、左右方向両側のそれぞれの上端部に側部上板部３９を設けた構成も採用可能である。
側部上板部の枠体における位置は、枠体側周の建物対向側以外の上端部であれば何処でも良い。
【０１６５】
図１５では、換気ダクト接続口（換気ダクト接続筒３３ｃ）及び条体挿通孔（条体挿通筒３３ｄ）を有する構成の側部上板部３９を例示した。
但し、側部上板部３９は、換気ダクト接続口（換気ダクト接続筒３３ｃ）及び条体挿通孔（条体挿通筒３３ｄ）の片方のみを有する構成も採用可能である。
【０１６６】
ダクト用ユニットの枠体は、換気ダクト接続口及び条体挿通孔の一方が上板部３３のみ、他方が側部上板部３９のみに存在する構成も採用可能である。
また、ダクト用ユニットの枠体は、換気ダクト接続口及び条体挿通孔が存在しない天板部と、建物対向側以外の側周の上端部を覆う主板部を有する側部上板部（側板部）を有する構成も採用可能である。
【０１６７】
本明細書において、上板部は、棒状材によって枠体上端部に支持され、かつ換気ダクト接続口及び条体挿通孔の一方又は両方が設けられた板部材を指す。上板部は、枠体の各棒状材の上端部によって支持された天板部、及び棒状材の上端部に支持されて枠体の建物対向側以外の側周の上端部を覆う側板部、のいずれでもあっても良い。また、枠体は、上板部である天板部と上板部である側板部とを有する構成であっても良い。
枠体は、その上端部に、天板部及び側板部のうち少なくとも天板部を有し、天板部及び側板部の一方又は両方である上板部に換気ダクト接続口及び条体挿通孔の一方又は両方が設けられている構成を有する。
なお、図３に例示した枠体３１は、換気ダクト接続口及び条体挿通孔が設けられた上板部３３を天板部に採用したものである。
【０１６８】
なお、上板部３３及び側部上板部３９の換気ダクト接続筒３３ｃのうち換気ダクト４１を接続しない空きの換気ダクト接続筒３３ｃは脱着可能なキャップの装着等によって気密に封止する。また、上板部３３、側部上板部３９、下板部３４の条体挿通孔（条体挿通筒３３ｄ内側の条体挿通孔）のうち、条体ユニット４２またはドレン管を挿通しない空きの条体挿通孔は脱着可能なキャップの装着等によって気密に封止する。また、上板部３３のドレン管挿通孔３３ｆにドレン管を挿通しない場合は、ドレン管挿通孔３３ｆを脱着可能なキャップの装着等によって気密に封止する。
【０１６９】
ダクト用ユニットの枠体は、４本の棒状材３５によって上板部３３と下板部３４とを連結した構成に限定されない。
枠体の棒状材の本数は、３本以上であれば良く、３本、あるいは４本以上であっても良い。また、天板部及び下板部は、平面視矩形以外の形状であっても良い。
このことは、ベランダ２１上方にベランダ天井が有るベランダ内周形成部に組み立てられる屋外ダクトのダクト用ユニットの枠体、及びベランダ２１上方にベランダ天井が無いベランダ内周形成部に組み立てられる屋外ダクトのダクト用ユニットの枠体、のどちらにも適用可能である。
【０１７０】
図１６は、棒状材３５が３本の枠体３１Ｂを用いベランダ内周形成部に組み立てた屋外ダクト１０Ｅの一例を示す。
図１６に示す枠体３１Ｂは、それぞれ平面視直角三角形板状に形成された天板部（図示略）及び下板部３４Ｂを有する。天板部は、換気ダクト接続口及び条体挿通孔が設けられた上板部である。なお、天板部の平面視サイズ及び形状は下板部３４Ｂと同じである。
図１６は、枠体３１Ｂの下板部３４Ｂ及び３本の棒状材３５の位置関係を模式的に示す平面図（モデル図）である。図１６に示すように、３本の棒状材３５は、平面視直角三角形板状の下板部３４Ｂの３つの角部に配置されている。３本の棒状材３５はそれぞれ上下方向（図１６紙面奥行き方向）に延在し、互いに平行に設けられている。
【０１７１】
長板状金属板を折曲加工して得る棒状材３５は開き角の調整が可能である。
図１６に示す枠体３１Ｂの３本の棒状材３５のうち、１本の開き角は９０度、２本の開き角は４５度である。図１６に例示した下板部３４Ｂは、具体的には、平面視直角二等辺三角形板状に形成されている。枠体３１Ｂは、開き角９０度の棒状材３５の延在方向端部を天板部及び下板部３４Ｂの平面視直角の角部（直角部）に固定し、開き角４５度の棒状材３５の延在方向端部を天板部及び下板部３４Ｂの直角部以外の２つの角部に固定して構成されている。
【０１７２】
図１６に示す枠体３１Ｂは、天板部及び下板部３４Ｂの直角部を、ベランダ内周形成部の入り隅部第１面５３１と入り隅部第２面５３２との境界部に位置合せし、天板部及び下板部３４Ｂにおける直角部から延在する２辺を入り隅部第１面５３１と入り隅部第２面５３２とに沿わせて配置している。
枠体３１Ｂの３本の棒状材３５のうち、天板部及び下板部３４Ｂの直角部に対応させて設けられた１本（以下、背側棒状材３５Ｂ１、とも言う）は、入り隅部第１面５３１と入り隅部第２面５３２との境界部に沿って上下方向に延在配置されている。背側棒状材３５Ａ以外の２本の棒状材３５の一方（以下、前面側第１棒状材３５Ｂ２、とも言う）は入り隅部第１面５３１に沿って上下方向に延在配置され、他方（以下、前面側第２棒状材３５３、とも言う）は入り隅部第２面５３２に沿って上下方向に延在配置されている。
【０１７３】
図１６に示す枠体３１Ｂは、天板部と下板部３４Ｂとの間において背側棒状材３５Ｂ１と前面側第１棒状材３５Ｂ２との間に架設された長板状固定用部材３６を有している。
長板状固定用部材３６の延在方向一端部は背側棒状材３５Ｂ１に、延在方向他端部は前面側第１棒状材３５Ｂ２に固定されている。
枠体３１Ｂは、長板状固定用部材３６をビス等のピン状固定具を用いて入り隅部第１面形成部に固定して入り隅部第１面形成部に取り付けられている。
【０１７４】
なお、長板状固定用部材３６は、背側棒状材３５Ｂ１と前面側第２棒状材３５Ｂ３とに固定して背側棒状材３５Ｂ１と前面側第２棒状材３５Ｂ３との間に架設しても良い。この場合、枠体３１Ｂは、長板状固定用部材３６をビス等のピン状固定具を用いて入り隅部第２面形成部に固定して入り隅部第２面形成部に取り付けられる。
【０１７５】
図１６に示す屋外ダクト１０Ｅにあっては、枠体３１Ｂの内側スペース（枠体内側スペース）を介して背側棒状材３５Ｂ１とは反対の側を前面側として扱う。
図１６に示す屋外ダクト１０Ｅは、枠体３１Ｂと、その前面側に脱着可能に取り付けられる平板状の前面側脱着外板３２４と、枠体下板部３４Ｂの下側に脱着可能に取り付けられる網付き枠（図示略）とを有するダクト用ユニット３０Ｅをベランダ内周形成部に組み立てたものである。
【０１７６】
なお、天板部（上板部）の条体挿通孔は、換気ダクト接続口に比べて、枠体３１Ｂが取り付けられるベランダ内周形成部の側（すなわち、枠体３１Ｂにおいて長板状固定用部材３６が設けられている側）である背側に位置する。下板部３４Ｂの条体挿通孔は、下板部３４Ｂに形成された通気口（図示略）よりも背側に位置する。
【０１７７】
図１６の屋外ダクト１０Ｅは、図２、図３等に例示した屋外ダクト１０に比べてベランダ内周形成部の入り隅部からベランダ内側空間２１ｃ側への突出寸法をより小さく抑えることができる。
なお、この屋外ダクト１０Ｅの枠体３１Ｂの天板部及び下板部は、直角二等辺三角形板状に限定されず、例えば直角部以外の２つの角部の１つの開き角が６０度程度の直角三角形板状であっても良い。
また、屋外ダクト１０Ｅ、ダクト用ユニット３０Ｅは、枠体３１Ｂの前面視左右両側の建物対向側の一方又は両方に建物側塞ぎ板を取り付けた塞ぎ板付き枠体を用いることも可能である。
【０１７８】
棒状材が４本以上の枠体は、例えば、図３等に例示した枠体３１の第１棒状材３５１と第２棒状材３５２との間、第２棒状材３５２と第３棒状材３５３との間、第４棒状材３５４と第１棒状材３５１との間の１以上に、棒状材を１本以上追加配置した構成を採用できる。
なお、枠体の棒状材の断面形状（棒状材延在方向に垂直の断面形状）は、例えば天板部及び下板部に対する固定構造等に応じて、適宜、設計変更可能である。棒状材の断面形状は例えばコ字形などであっても良い。
枠体の棒状材は長板状金属板を折曲加工したものに限定されない。棒状材は、例えば、断面矩形あるいは円形で延在する中空金属パイプなどであっても良い。
ベランダ上方の庇部は、上階ベランダ床に限定されず、庇の機能を果たすものであれば良い。ベランダ上方の庇部は、例えば、建物最上階のベランダ上方に位置する屋根や庇部などであっても良い。
【符号の説明】
【０１７９】
１０、１０Ａ〜１０Ｅ…屋外ダクト、２０…建物、２０Ａ…建物本体、２１…ベランダ、２１ａ…ベランダ床、２８…上階ベランダ、２８ａ…上階ベランダ床、３０、３０Ａ〜３０Ｅ…ダクト用ユニット、３１、３１Ａ、３１Ｂ…枠体。
【図１】
0006555716.tif 000002
【図２】
0006555716.tif 000003
【図３】
0006555716.tif 000004
【図４】
0006555716.tif 000005
【図５】
0006555716.tif 000006
【図６】
0006555716.tif 000007
【図７】
0006555716.tif 000008
【図８】
0006555716.tif 000009
【図９】
0006555716.tif 000010
【図１０】
0006555716.tif 000011
【図１１】
0006555716.tif 000012
【図１２】
0006555716.tif 000013
【図１３】
0006555716.tif 000014
【図１４】
0006555716.tif 000015
【図１５】
0006555716.tif 000016
【図１６】
0006555716.tif 000017